(57)【要約】【課題】  決められた演出シーンの表示が開始されても、その表示途中で、決められた演出シーンとは異なる特別演出シーンに変更することで、飽き難く、興趣の低下を防止することができる遊技機を提供する。【解決手段】  複数の装飾図柄からなる図柄列、キャラクタ、背景を表示するための演出表示装置１１５と、始動口センサ３１８による入賞の検出に基づいて、複数の演出シーンから所定の演出シーンを表示させる演出シーン制御手段４１７とを有し、複数の演出シーンより予め設定された所定数及び所定順序で演出シーンを表示することで構成される複数の演出表示態様から所定の演出表示態様を表示させる演出表示制御手段４１３と、主基板３１０からのコマンドに基づいて、表示されている演出シーンの表示途中から、演出表示態様には含まれない特別演出シーンに変更する演出シーン変更手段４１８とを具備する。【選択図】        図２０
2006116022.tif 000002
【特許請求の範囲】
【請求項１】
複数の装飾図柄からなる図柄列、キャラクタ、及び背景を表示するための表示手段と、
遊技者の操作に応じて変化する遊技状態を検出する遊技状態検出手段と、
該遊技状態検出手段によって検出された遊技状態に基づいて所定の抽選結果を抽選する抽選手段と、
該抽選手段の前記抽選結果に基づいて、複数の演出シーンから所定の演出シーンを前記表示手段に表示させる演出シーン制御手段を有し、複数の演出シーンより予め設定された所定数及び所定順序で演出シーンを表示することで構成される複数の演出表示態様から所定の演出表示態様を前記表示手段に表示させる演出表示制御手段と、
前記抽選手段の前記抽選結果に基づいて、前記演出表示制御手段により表示される演出表示態様における所定の演出シーンの表示途中から、演出表示態様には含まれない特別演出シーンに変更して表示させる演出シーン変更手段と
を具備することを特徴とする遊技機。
【発明の詳細な説明】
【技術分野】
【０００１】
本発明は、ぱちんこ遊技機（一般的に「パチンコ機」とも称する）や回胴式遊技機（一般的に「パチスロ機」とも称する）等の遊技機に関するものであり、詳しくは、図柄を表示する表示手段を備える遊技機に関するものである。
【背景技術】
【０００２】
従来、遊技盤に表示手段を備え、数字や記号等の装飾図柄からなる図柄列を表示させるようにした遊技機が知られている。この種の遊技機では、遊技状態が所定の条件を満たすと、表示手段において複数の図柄列が変動するとともに、抽選結果に基づいてその変動が停止されるようになっている。また、図柄列の変動が停止する前に、表示手段にキャラクタを出現させ特殊な演出を行わせる遊技機もある。つまり、特殊な演出を所定の確率で実行させることにより、各変動毎に得られる期待感にメリハリを付け、抽選への期待感を高めるようにしたものである。
【０００３】
さらに、演出の一態様として、装飾図柄の変動とキャラクタの動作とを関連付けた演出表示を行わせる遊技機もある（例えば特許文献１）。具体的には、大当り遊技状態に先立ってリーチ状態が発生したとき、すなわち、既に停止している図柄列の組合せが特定の図柄の組合せを充足したとき、特定の図柄とキャラクタとを同一画面上に出現させ、予め定められた動作を演出表示させるものがある。
【特許文献１】特開２００２−２１０１２８号公報
【発明の開示】
【発明が解決しようとする課題】
【０００４】
しかしながら、上記の遊技機では、図柄列が変動を開始してから停止するまでにキャラクタを出現させたり動作させたりする一連の演出表示を、一つの演出シーンとし、その演出シーンを予め複数用意した上で、抽選結果に基づいて、所定の演出シーンを選択表示するものであった。詳しくは、抽選結果により、遊技者が有利な有利遊技状態となる確率の違いに応じて、互いに異なる演出シーンを予め複数用意されており、抽選結果に基づいて、所定の演出シーンを選択して表示していたので、見慣れることで飽きてしまう問題があった。
【０００５】
そこで、本発明は、上記の実状に鑑み、決められた演出シーンの表示が開始されても、その表示途中で、決められた演出シーンとは異なる特別演出シーンに変更することで、飽き難く、興趣の低下を防止することができる遊技機の提供を課題とするものである。
【課題を解決するための手段】
【０００６】
手段１：「複数の装飾図柄からなる図柄列、キャラクタ、及び背景を表示するための表示手段と、遊技者の操作に応じて変化する遊技状態を検出する遊技状態検出手段と、該遊技状態検出手段によって検出された遊技状態に基づいて所定の抽選結果を抽選する抽選手段と、該抽選手段の前記抽選結果に基づいて、複数の演出シーンから所定の演出シーンを前記表示手段に表示させる演出シーン制御手段を有し、複数の演出シーンより予め設定された所定数及び所定順序で演出シーンを表示することで構成される複数の演出表示態様から所定の演出表示態様を前記表示手段に表示させる演出表示制御手段と、前記抽選手段の前記抽選結果に基づいて、前記演出表示制御手段により表示される演出表示態様における所定の演出シーンの表示途中から、演出表示態様には含まれない特別演出シーンに変更して表示させる演出シーン変更手段とを具備する」ものであることを特徴とする。
【０００７】
ここで、「図柄」とは、数字や記号、あるいはそれらと絵柄との組合わせ等からなる演出用の図柄である。また、「キャラクタ」とは、図柄列及び背景以外の画像を意味しており、小説・漫画・映画・演劇などの登場人物、動物、植物、又は小道具類、もしくはこの遊技機のために作成された仮想上の人物、動物、植物、又は小道具類等を例示することができ、これらキャラクタを、その重要度の高い主キャラクタ、主キャラクタに次ぐ重要度の副キャラクタ、副キャラクタよりも重要度の低い脇キャラクタ、等に分類しても良い。
【０００８】
また、「遊技状態検出手段」とは、遊技者の操作に応じて変化する遊技状態を検出するものであり、例えば遊技媒体として遊技球を用いた遊技機においては、入賞口や始動口への入球状態を検出するスイッチ、入賞口に入球する遊技球の数をカウントするカウント手段、及び入賞に基づく抽選結果を認識する認識手段を例示することができる。さらに、「表示手段」としては、液晶表示装置、ＥＬ表示装置、プラズマ表示装置、またはＣＲＴ等を例示することができる。
【０００９】
また、「演出シーン」とは、図柄列、キャラクタ、及び背景を適宜用いて所定の演出動作をさせた複数のカットからなるもので、例えば、「複数の図柄列を変動表示すると共に順次停止表示する第一演出シーン」、「第一演出シーンに続いて表示するものであり、一つの図柄列を変動表示すると共にキャラクタに所定の動作表示をさせ、所定の装飾図柄で停止表示する第二演出シーン」、「第二演出シーンに続いて表示するものであり、装飾図柄とキャラクタとを所定の関係で動的に表示し、所定の装飾図柄で停止表示する第三演出シーン」、「主キャラクタを用いた特別演出シーン」、等を例示することができる。なお、特別演出シーンとしては、有利遊技状態の発生する可能性が（最も）高い演出シーンとすることが望ましい。
【００１０】
更に、「演出表示態様」とは、所定数の演出シーンを一連の表示となるように所定順序で表示したものであり、ｎを自然数とすると、第一演出シーンから第ｎ演出シーンまでの一連で表示される表示態様のことを言う。なお、第一番目に表示される第一演出シーンよりも後に表示される第二演出シーン、第三演出シーン等を、「発展形態」とも称す。
【００１１】
手段１の構成によれば、遊技状態が遊技状態検出手段によって検出されて、抽選手段により所定の抽選結果が抽選されると、表示手段に所定の演出表示態様が表示されると共に、その表示される演出表示態様において所定の演出シーンの表示途中で、演出シーン変更手段により、演出表示態様には含まれない特別演出シーンに変更するもので、これにより、例えば、期待度の低い演出シーンが始まっても、その演出シーンのどこからでもより期待度の高い特別演出シーンに変更される可能性があるので、如何なる演出シーンが表示開始されても、期待感を持たすことができ、遊技に対する興趣を高めることができる。
【００１２】
また、予め設定された演出シーンの表示途中で特別演出シーンに変更するので、例えば、第一演出シーンから発展して、第二演出シーンへ、更に発展して第三演出シーンへと変化する演出表示態様とは、全く異なる表示態様とすることができ、演出シーンのバリエーションが多くなり、見飽き難いものとすることができる。
【００１３】
更に、演出シーンの途中で特別演出シーンに変更するので、遊技者は、表示手段により注目するようになり、従来では見過されていたような演出等も認識可能させて、表示による演出効果をより高めることができる。
【００１４】
手段２：手段１の構成において、「前記演出シーン制御手段は、前記装飾図柄を前記表示手段に動的に表示させる図柄制御手段、前記装飾図柄の表示中に前記キャラクタを動的に表示させるキャラクタ制御手段、及び前記キャラクタの表示中に前記背景を動的に表示させる背景制御手段、演出シーンの中でも特別な位置付けに設定された特別演出シーンを制御する特別演出シーン制御手段を有し、前記演出シーン変更手段は、前記特別演出シーンに変更する」ものであることを特徴とする。
【００１５】
手段２によれば、演出シーン制御手段に、図柄制御手段、キャラクタ制御手段、背景制御手段の他に、特別演出シーンを制御する特別演出シーン制御手段を備えたもので、これにより、装飾図柄、キャラクタや背景を用いて特別演出シーンを含む様々な演出シーンを表示することができ、興趣を高められる演出表示をすることができる。
【００１６】
手段３：手段１又は手段２の構成において、「前記演出シーン変更手段は、前記演出シーン制御手段により、演出シーンの表示途中で、前記装飾図柄、前記キャラクタ、及び前記背景の少なくとも一つが所定の条件を満たすように表示制御されると、前記特別演出シーンに変更する」ものであることを特徴とする。
【００１７】
手段３によれば、装飾図柄、キャラクタ、及び背景の少なくとも一つが所定の条件を満たすように表示されると、特別演出シーンに変更するものである。具体的には、例えば、装飾図柄やキャラクタ等が、拡大表示されたり、当該演出シーンの一連の流れとは異なる動きをしたりすると特別演出シーンに変更させるようにでき、これにより、遊技者に対して、特別演出シーンへの変更の契機を認識させることが可能となり、演出シーンの途中で変更の契機が表示されるのを期待するようになって、興趣を高めることができる。
【００１８】
手段４：手段２又は手段３の構成において、「前記演出シーン変更手段は、前記演出シーン制御手段により、演出シーンの表示途中で、前記キャラクタが、当該演出シーンにおける一連の動きとは異なる動きに表示制御されると、前記特別演出シーンに変更する」ものであることを特徴とする。
【００１９】
手段４によれば、演出シーンの表示途中で、キャラクタのみが（背景や装飾図柄を動かしたり変更したりしない状態で）、演出シーンの一連の流れとは異なる動きをすると、特別演出シーンに変更するものである。具体的には、例えば、通常の演出シーンでは、動かないキャラクタが動いたり、動くキャラクタが止まったり、特定のキャラクタがクローズアップされたり、特定のキャラクタをカメラが追いかけるように表示したりすると、特別演出シーンに変更することができる。つまり、キャラクタの動き等を変更の契機としたもので、これにより、特に、キャラクタは遊技者の目に付き易く、少しの変化でも違いを認識し易いので、変更の契機を容易に認識させることができると共に、その際のキャラクタの動きを趣向を凝らしたものとすることで、面白味を与えることができ、興趣を高められるものとすることができる。なお、キャラクタとして、重要度の高い主キャラクタを用いることで、上記の効果を更に高めることができる。
【００２０】
手段５：手段１から手段４の構成において、「前記特別演出シーンは、キャラクタの中でも最も重要度が高く設定された主キャラクタを用いた演出シーンである」ことを特徴とする。ここで、「重要度が高く設定された主キャラクタ」とは、例えば、「ハズレを示唆する演出シーンでは表示される可能性の低い或いは表示されないキャラクタ」、「当りを示唆する演出シーンに表示される可能性の高いキャラクタ」、「一つの演出表示態様において最も長い時間表示されるキャラクタ」、などである。
【００２１】
手段５によれば、特別演出シーンを、主キャラクタによって構成したものとすることで、これにより、他の演出シーンとは明らかに異なる演出シーンとすることが可能となり、遊技者に対して、特別演出シーンに変更されたことを確実に認識させることができるとともに、期待感を高めることが可能なものとすることができる。
【００２２】
手段６：手段１から手段５までの何れか一つの構成において、「前記演出シーン制御手段は、複数の前記図柄列を変動表示すると共に順次停止表示する第一演出シーンを制御する第一演出シーン制御手段を有し、前記演出シーン変更手段は、前記第一演出シーンの表示途中で、前記特別演出シーンに変更する」ものであることを特徴とする。
【００２３】
手段６の構成によれば、図柄列を変動表示させる第一演出シーンの表示途中で、特別演出シーンに変更するもので、この第一演出シーンは、遊技者が有利な有利遊技状態となるための条件とされており、遊技者は、第一演出シーンが表示開始されることを強く望み、その第一演出シーンの表示が開始されることで、期待感が高まったところで、その途中で特別演出シーンに変更されるので、更に期待感を高めることが可能となり、興趣に富んだものとすることができる。
【００２４】
手段７：手段６の構成において、「前記第一演出シーン制御手段は、前記第一演出シーンで変動表示されている前記図柄列を消去させる図柄列消去手段を有し、前記演出シーン変更手段は、前記図柄列消去手段により、前記第一演出シーンで少なくとも一つの前記図柄列が消去されると、前記特別演出シーンに変更する」ものであることを特徴とする。
【００２５】
ところで、この第一演出シーンに相当する従来の演出シーンでは、変動している図柄列の変動速度を変化（徐々に停止）させているだけであった。そのため、変動が停止する前後においては期待感が高められるものの、変動中は高めることができず、単調で面白みに欠ける内容の演出シーンとなっていた。しかしながら、この第一演出シーンでは、変動している図柄列の少なくとも一つを消去するので、図柄列が消えることで、遊技者に対してこれから何かが始まると言うことを示唆することができ、表示手段に注目させることが可能となる。また、消去した図柄列のところにキャラクタ等を表示させることで、これまでとは異なる演出をすることができるようになる。例えば、表示させるキャラクタに所定の動作をさせて、楽しめる演出を行うようにしたり、予め期待度に応じてキャラクタを割り振っておき、表示されるキャラクタによって期待度が判るようにすることで、どんなキャラクタが表示されるかと言う期待感を高めるような演出を行ったりすることが可能となる。なお、図柄列消去手段により消去する図柄列は、例えば、一つの図柄列のみでも良いし、全ての図柄列でも良く、全ての図柄列を消去した場合、キャラクタ等を表示させる領域が広くなるので、より大きな動作をさせることが可能となり、演出効果の高い表示を行うことができる。
【００２６】
手段７の構成によれば、第一演出シーンで変動表示されている図柄列が、図柄列消去手段により消去されると、特別演出シーンに変更するもので、これにより、少なくとも一つの図柄列を消去することで、遊技者に注目させた上で、図柄列の消去後に特別演出シーンに変更されるか否かと言う期待感を膨らませることができ、興趣を高めることができる。
【００２７】
手段８：手段７の構成において、「前記第一演出シーン制御手段は、前記キャラクタ制御手段により、前記第一演出シーンで前記図柄列消去手段により消去された前記図柄列の位置に、所定の方向から表示領域内へ前記主キャラクタを含む少なくとも一つの前記キャラクタを移動表示させ、前記演出シーン変更手段は、前記キャラクタの移動表示中に前記主キャラクタのみが移動停止されると、前記特別演出シーンに変更する」ものであることを特徴とする。
【００２８】
手段８の構成によれば、キャラクタ制御手段により、消去された図柄列の位置に、所定方向から表示領域内にキャラクタを移動表示させた上で、移動表示中のキャラクタの内で主キャラクタのみが移動停止されると、特別演出シーンに変更するもので、通常の第一演出シーンにおいて、図柄列が消去された位置に、例えば、複数のキャラクタを歩いたり走ったり等する動作をさせながら、表示領域内を移動表示させることで、キャラクタの登場により面白味を持たせた上で、そのキャラクタの中で、主キャラクタのみが移動を停止するか否かと言う関心が高められ、より興趣に富んだ演出をすることができる。
【００２９】
手段９：手段７又は手段８の構成において、「前記第一演出シーン制御手段は、前記図柄列消去手段により消去された図柄列を再度変動表示させた上で停止表示させる図柄列再表示手段を有し、前記演出シーン変更手段は、前記特別演出シーンへの変更に先立って、前記図柄列再表示手段に、一つの前記図柄列を除く全ての前記図柄列を変動表示させると共に、特定の装飾図柄の組合せを充足する状態（所謂「リーチ状態」）で停止表示させる」ものであることを特徴とする。
【００３０】
手段９の構成によれば、変動している図柄列が消去されて、特別演出シーンに変更する前に、図柄列再表示手段により、消去された図柄列を再度表示させると共に、リーチ状態で停止表示させるもので、これにより、図柄列がリーチ状態以外の状態で特別演出シーンに変更される場合と比較して、特別演出シーンにおいて有利遊技状態となる可能性が更に高いような演出効果を得ることができ、より期待感を持たせることが可能となる。或いは、特別演出シーンにおいて有利遊技状態となる可能性が高い場合に、上記の演出表示を行わせても良く、その表示により遊技者に可能性が高いことを認識させ、期待感を高めることができる。
【００３１】
手段１０：手段６から手段９までの何れか一つの構成において、「前記演出シーン変更手段は、前記第一演出シーン制御手段により、少なくとも二つの前記図柄列が特定の装飾図柄の組合せを充足する状態で停止表示されると、前記特別演出シーンに変更する」ものであることを特徴とする。ここで、特定の組み合わせとしては、特に限定するものではないが、リーチ状態、所定の単語として読めるように停止した状態、特定のハズレリーチ又はハズレ、等を例示することができる。
【００３２】
手段１０の構成によれば、第一演出シーンにおいて変動する図柄列が特定の組合わせを充足する状態となると、特別演出シーンに変更するもので、これにより、例えば、リーチ状態となったことで、有利遊技状態となる可能性が高くなり期待感が高められたところで、特別演出シーンに変更させることで、遊技者によっては、その期待感が確信に変化し、より興趣を高める演出表示とすることができる。
【００３３】
手段１１：手段６から手段１０までの何れか一つの構成において、「前記演出シーン変更手段は、前記第一演出シーン制御手段により、少なくとも二つの変動表示されている前記図柄列が特定の装飾図柄の組合せを充足する状態で停止表示されると、変動表示又は消去表示されている前記図柄列の位置に、所定の方向から表示領域内へ前記主キャラクタを含む少なくとも一つの前記キャラクタを移動表示させ、該キャラクタの移動表示中に前記主キャラクタのみが移動停止されると、前記特別演出シーンに変更する」ものであることを特徴とする。
【００３４】
手段１１の構成によれば、変動している図柄列がリーチ状態となった時に、未だ確定していない図柄列の位置に、所定の方向から表示領域内へキャラクタを移動表示させた上で、主キャラクタのみが移動停止すると、特別演出シーンに変更するもので、これより、リーチ状態となることで期待感が高められたところに、キャラクタを表示させることで、有利遊技状態となる可能性が高いように認識させて、更に期待感を高めさせると同時に、表示されたキャラクタの中で主キャラクタの動作に注目させて、興趣に富んだものとすることができる。
【００３５】
手段１２：手段１から手段１１までの何れか一つの構成において、「前記演出シーン制御手段は、複数の前記図柄列を変動表示すると共に順次停止表示する第一演出シーンを制御する第一演出シーン制御手段と、該第一演出シーン制御手段により、前記第一演出シーンが所定の条件を満たすように一区切りすると、該第一演出シーンに続いて表示し、該第一演出シーンとは異なる前記背景を用いると共に、一つの前記図柄列を変動表示すると共に前記キャラクタに所定の動的表示をさせ、所定の装飾図柄で停止表示する第二演出シーンを制御する第二演出シーン制御手段を有し、前記演出シーン変更手段は、前記第二演出シーンの表示途中で、新たに前記特別演出シーンに変更する」ものであることを特徴とする。
【００３６】
ここで、「第二演出シーン」としては、「図柄列を上下方向に変動表示させると共に、その変動速度を適宜変化させながら表示させ、キャラクタを図柄列とは異なる速度で且つ、その速度を適宜変化させながら上下方向に移動表示させ、表示領域の略中央で、図柄列とキャラクタとが移動停止して、装飾図柄とキャラクタとを所定の状態で停止表示させる演出シーン」、「キャラクタと装飾図柄とをその移動速度を種々に変化させながら斜め上側又は、斜め下側に向かって移動表示させると共に、その途中でキャラクタと装飾図柄とを装飾図柄が表示領域外となるように斜め下側又は、斜め上側に移動表示し、その動きを繰り返す毎に装飾図柄の図柄を変更させ、キャラクタと装飾図柄とを所定の状態で停止表示させる演出シーン」、「装飾図柄の表示位置がキャラクタの表示位置に対して右側及び左側へと交互に入れ替わるように、装飾図柄を相対的に左右方向に繰り返し変位させると共に、所定の条件毎に装飾図柄の図柄を変更し、装飾図柄とキャラクタとを所定の状態で停止表示させる演出シーン」、「上下方向に複数の装飾図柄を互いに接触するように配置し、且つ、装飾図柄の後側に視認可能にキャラクタを配置した状態で、キャラクタの所定部位の上下方向への振動表示に伴って装飾図柄が振動表示し、所定の条件を満たすと装飾図柄が下側へ一つシフトし、そのシフトを繰り返しながら、装飾図柄とキャラクタとを所定の状態で停止表示させる演出シーン」、「図柄列を左右方向に配置し、左右の何れかの方向から移動表示されたキャラクタが装飾図柄を順次通過して、所定の装飾図柄でキャラクタを停止表示させる演出シーン」、などである。なお、第二演出シーンは、上記したものに限定するものではなく、その他の演出シーンとすることもできる。
【００３７】
ところで、本発明の第一演出シーンに相当する従来の演出シーンでは、単に変動表示された図柄列が停止表示するだけなので、リーチ状態となった後は、最後に変動表示されている図柄列が停止するまでの間は、所望の装飾図柄で停止するか否かに関心が持たれるだけで、表示そのものへの関心が薄くなる傾向があった。そのため、その図柄列の変動速度を種々に変化させたり、その図柄列のみを拡大表示させたりすることで、表示に注目させると共に、期待感を高めるようにすることが考えられるが、第一演出シーンの中だけでは表現できる演出に限りがあり、興趣を高めることが困難であった。そこで、本発明では、第一演出シーンが例えばリーチ状態となった時に、場面を変えて単に図柄列の変動が停止するだけのような演出とは異なる演出の第二演出シーン（所謂、「発展」）を表示させることで、興趣を高める表示を可能とすると共に、第二演出シーンを有利遊技状態となる可能性と関係させることで、第二演出シーンの表示開始による、大当たり等の確定に対する期待感を高めることができる。
【００３８】
手段１２の構成によれば、第一演出シーンが所定の状態を満たすように一区切りすると、その第一演出シーン続いて、第二演出シーンを表示させた上で、その第二演出シーンの途中で特別演出シーンに変更するものである。これにより、第二演出シーンの表示が開始されることで、期待感が高められた上で、特別演出シーンに変更することで、その期待感を確信に変化させることが可能となり、大幅に演出効果の高いものとすることができる。
【００３９】
手段１３：手段１から手段１２までの何れか一つの構成において、「前記演出シーン変更手段は、表示されている演出シーンの冒頭部で前記特別演出シーンに変更する」ものであることを特徴とする。
【００４０】
ここで、「冒頭部」とは、その演出シーンにおける初めの部分のことを言い、例えば、第二演出シーンを例にすると、第二演出シーンは、第一演出シーンに続いて表示されるものであるが、第一演出シーンと第二演出シーンとの繋がりが唐突であると、遊技者に対して違和感を与えてしまい、興趣を低下させてしまう恐れがあり、第二演出シーンが違和感無く繋がるように、第二演出シーンの初めに設けられた繋ぎの部分のことを言う。
【００４１】
手段１３によると、表示が開始された演出シーンの冒頭部分で特別演出シーンに変更されるので、これにより、喩え、表示が開始された演出シーンが、期待度の低いものであると認識されて興趣が低下しても、特別演出シーンに変更される可能性があるので、興趣を高めることができ、抑揚に富んだ演出表示とすることができる。
【００４２】
手段１４：手段１３の構成において、「前記演出シーン変更手段は、前記演出シーン制御手段によって、演出シーンの冒頭部において、表示する演出シーンにおける主キャラクタとは別に、少なくとも一つの異なるキャラクタを表示させた後に、該少なくとも一つの異なるキャラクタを所定の条件を満たすように表示させると、異なる演出シーンに変更する」ものであることを特徴とする。
【００４３】
手段１４によれば、演出シーンの冒頭部において、その演出シーンのメインキャラクタとなる主キャラクタとは別に、他のキャラクタも表示するものである。これにより、例えば、初めに表示されるメインの主キャラクタが期待度の低いキャラクタであっても、期待度の高いその他のキャラクタも表示されるので、より期待度の高い演出シーンに変更されるかも知れないと言う期待感を持たせることが可能となり、興趣が低下するのを抑制することができる。また、異なるキャラクタが所定の条件を満たすように表示されると、異なる演出シーンに変更するので、例えば、異なるキャラクタの動きに注目させて、興趣を高めることができる。また、異なるキャラクタとして重要度の高い主キャラクタなどとしても良く、よりキャラクタに注目させることができる。なお、変更される異なる演出シーンを、特別演出シーンとした場合、遊技者が演出シーンの変更をより強く望むようになり、より興趣を高めることができる。
【００４４】
手段１５：手段１２から手段１４までの何れか一つの構成において、「前記演出シーン変更手段は、前記第二演出シーン制御手段により、前記第二演出シーンの冒頭部で前記主キャラクタが、表示領域内において上側から下側へ移動表示され、下側で停止すると、前記特別演出シーンに変更する」ものであることを特徴とする。
【００４５】
手段１５の構成によれば、第二演出シーンの冒頭部で、主キャラクタが表示領域の上側へ消えるように移動表示された後に、表示領域の上側から下側へ主キャラクタが移動表示されると、特別演出シーンに変更するものである。具体的には、例えば、初めに主キャラクタと複数の装飾図柄とをシーソーの一方の端に位置するように表示し、他方の端に他のキャラクタを落下させることで、一方の端の主キャラクタと装飾図柄を上側に飛ばし、その後、主キャラクタが一方の端に落下すると、特別演出シーンに変更する。なお、主キャラクタに代えて、装飾図柄の一つが一方の端に落下することで、他方の端の他のキャラクタが上側に飛び、続いて、下から見上げるような場面に変更したところで、主キャラクタが下側から上昇端まで上がった後に落下してくると、特別演出シーンに変更するようにしても良い。これにより、主キャラクタ及び他のキャラクタが消えた後で、何れのキャラクタが表示されるかと言う期待感が高められ、興趣に富んだものとすることができる。また、他のキャラクタが表示されても、未だ第二演出シーンの冒頭部なので、大当たりとなる可能性が残されているので、興趣が低下するのを抑制することができる。
【００４６】
手段１６：手段１２から手段１４までの何れか一つの構成において、「前記演出シーン変更手段は、前記第二演出シーン制御手段により、前記第二演出シーンの冒頭部で予め表示されている前記キャラクタに、前記主キャラクタが衝突して前記キャラクタが表示領域外へ移動表示されると共に、前記主キャラクタが表示領域内に継続して表示されると、前記特別演出シーンに変更する」ものであることを特徴とする。
【００４７】
手段１６の構成によれば、第二演出シーンの冒頭部で、予め表示されているキャラクタに主キャラクタが衝突して、主キャラクタが残って、他のキャラクタが表示領域外へ移動表示すると、特別演出シーンに変更するもので、これにより、初めに表示されているキャラクタに主キャラクタが衝突した際に、何れのキャラクタが残るのかと言う期待感が高められ、興趣に富んだものとすることができる。
【００４８】
手段１７：手段１２から手段１４までの何れか一つの構成において、「前記演出シーン変更手段は、前記第二演出シーン制御手段により、前記第二演出シーンの冒頭部で前記主キャラクタのみが表示領域内に入るように表示領域が相対移動されると、前記特別演出シーンに変更する」ものであることを特徴とする。
【００４９】
手段１７の構成よれば、第二演出シーンの冒頭部で、表示されている所定のキャラクタに、他のキャラクタが当接して所定のキャラクタが排除されると、主キャラクタが表示されると共に、その後側に装飾図柄と他のキャラクタが表示され、その後、主キャラクタのみが表示領域内に表示されると、特別演出シーンに変更するものである。具体的には、例えば、所定のキャラクタとしてのバケツの後側（バケツの中）に主キャラクタが隠れるように配置された状態で、所定の方向から装飾図柄がバケツに当接し、バケツが飛ばされると同時に主キャラクタが現れる。その一方で、主キャラクタの後側には、バケツに当たった装飾図柄と他のキャラクタとが表示されており、その後表示領域（カメラのフレームに相当）が、前側の主キャラクタに移動（パン）すると、特別演出シーンに変更するものである。なお、変更しない場合は、表示領域が後側の装飾図柄と他のキャラクタに移動（パン）して、主キャラクタが表示領域外へと相対移動する。
【００５０】
これにより、第二演出シーンの冒頭部で、主キャラクタと、その後ろに装飾図柄と他のキャラクタが表示されると、何れのキャラクタの方にカメラワークされるのかと言う期待感が高められ、興趣に富んだものとすることができる。
【００５１】
手段１８：手段１２から手段１４までの何れか一つの構成において、「前記演出シーン変更手段は、前記第二演出シーン制御により、第二演出シーンの冒頭部で前記主キャラクタが前記所定領域に位置して、表示領域外へ移動表示されると、前記特別演出シーンに変更する」ものであることを特徴とする。
【００５２】
手段１８の構成によれば、第二演出シーンの冒頭部で、表示されている複数のキャラクタの中で、主キャラクタのみが所定領域に位置すると、特別演出シーンに変更するものである。具体的には、所定領域として、例えば、表示されている大砲の砲身内に相当する領域とし、複数のキャラクタが略同時に砲身内に入る動作をして、主キャラクタのみが砲身内に入ると、主キャラクタが大砲で打ち出されて、特別演出シーンに変更される。これにより、何れのキャラクタが砲身内に入るかと言う期待感が高められ、興趣に富んだものとすることができる。
【００５３】
手段１９：手段１から手段１８までの何れか一つの構成において、「遊技者が操作可能な操作手段と、該操作手段の操作を検出する操作検出手段とを更に具備し、前記特別演出シーンは、前記演出シーン制御手段により、前記操作検出手段によって検出された操作に応じてその表示内容が制御可能である」ものであることを特徴とする。
【００５４】
ところで、種々の表示が可能な表示手段を備えた遊技機において、遊技者が操作可能な操作手段を設けて、その操作手段を操作することで、一種のゲーム性を帯びた表示を可能となし、これにより、遊技媒体による遊技とは異なる遊技を提供可能として、より面白味の有る遊技機とすることが考えられるが、この場合、例えば、あたかも操作手段の操作によって表示動作が行われているような表示内容とすることで、構成を簡単なものとすることができるが、操作手段の操作と無関係な表示であることが判別し易く、すぐに遊技者に飽きられてしまう恐れがある。
【００５５】
手段１９の構成によれば、演出シーン変更手段によって、演出表示態様における演出シーンの表示途中で変更される特別演出シーンの表示中に、遊技者が操作手段を操作することで、その操作に応じて所定の演出シーンの表示内容が適宜制御されて表示されるものである。これにより、遊技者は操作手段を操作することで、所定の演出シーンの表示内容を制御することが可能となる。つまり、表示中の演出シーンの内容に参加することができるので、遊技媒体による遊技とは異なる遊技をすることができ、これまでとは違った楽しさを提供することの可能なものとすることができる。
【００５６】
また、操作手段を操作することで遊技者が参加することができるので、例えば、表示手段に表示される背景等を刻々と変化させると共に、操作手段によってキャラクタ等の動きを操作して、ゲーム性の高い演出シーンを構成することが可能となり、より興趣を高められる演出表示とすることができる。
【００５７】
更に、抽選結果に応じて所定の演出シーンを表示するので、これにより、抽選結果と、所定の演出シーンとを互いに関連付けることが可能となり、従来では抽選結果を基に単に演出シーンを表示していただけなのに対して、遊技者が演出シーンの内容に参加することで抽選結果を認識させるような演出シーンとすることができる。つまり、例えば、抽選結果が当りの場合、遊技者自身が操作手段を操作して当りを勝ち取ったような演出表示が可能となり、興趣を高めることができる。或いは、抽選結果がハズレの場合、遊技者自身にあと少しで当りだったかも知れないと思わせる演出表示をすることで興趣を低下させるのを抑制することができる。また、遊技者自身が操作手段を操作することで、抽選結果を知ることが可能なものとすることができる。
【００５８】
なお、操作手段による特別演出シーンの制御としては、特別演出シーンに用いられる複数のカットを予め用意しておき、操作手段の操作（操作状況）に基づいて、特別演出シーンにおける表示内容の種々の段階で、その段階や操作状況に応じて、所定の手段を用いて複数のカットから所望のカットを選択し、特別演出シーンに表示させることで、その表示内容を変化させるようにしても良い。
【００５９】
ところで、操作手段を設けて遊技者が参加することのできるものとしても、遊技者が操作手段を操作しなければ、単に演出シーンを表示しているのと変わらなくなる問題が考えられる。そこで、本発明では、以下の構成を加えても良い。例えば、特別演出シーンの表示において操作手段による操作が有効とされている時に、操作手段が操作されていない場合は、例えば案内手段等により遊技者に対して操作手段の操作を促すように視覚的な案内をさせたり、音声や音楽などの音による聴覚的な案内をさせたりするようにしても良く、これにより、操作手段の操作を促すことができる。或いは、特別演出シーンの表示において操作手段による操作が有効とされている時に、操作手段が操作されない場合は、例えば抽選結果が当りの時はハズレに変更したり、有利遊技状態が発生する確率を低くしたりしても良く、これにより、操作手段を操作しないと遊技者にとって不利となるので、操作手段を操作させることができ、操作することで特別演出シーンの面白味を認識してもらうことができる。
【００６０】
手段２０：手段１９の構成において、「前記操作検出手段の検出結果に基づいて、前記操作手段の操作状況を判断する操作状況判断手段を更に具備し、前記演出シーン制御手段は、前記操作状況判断手段の判断結果に基づいて、前記特別演出シーンの内容を制御して表示する」ものであることを特徴とする。
【００６１】
ここで、「操作状況判断手段」としては、特に限定するものではないが、「所定単位時間当りの操作手段の操作回数により操作状況を判断するもの」、「操作手段の操作方向により操作状況を判断するもの」、「操作手段にかる加速度により操作状況を判断するもの」、等を例示することができる。
【００６２】
手段２０によれば、操作状況判断手段によって操作手段の操作状況が判断されると、その判断に基づいて特別演出シーンの内容が制御されるものである。具体的には、例えば、操作手段が操作されていないと判断した場合は、特別演出シーンにおける表示内容を変更せずに表示し、操作手段が操作されていると判断した場合は、その操作の度合いに応じて、例えば、特別演出シーンにおいて表示されているキャラクタ等を所定の方向に移動させる等の表示内容の変更を行う。これにより、操作手段を操作することで、特別演出シーンの表示が変化するので、遊技者がその演出内容を操ることができ、表示される特別演出シーンに対して一体感を与えることができ、興趣を高めることができる。
【００６３】
手段２１：手段１９又は手段２０までの何れか一つの構成において、「前記操作検出手段の検出結果に基づいて、前記特別演出シーンにおける演出内容を選択する演出内容選択手段を更に具備し、前記演出シーン制御手段は、前記演出内容選択手段による選択結果に基づいて、表示中の前記特別演出シーンの内容を制御して表示する」ものであることを特徴とする。
【００６４】
ここで、「演出内容選択手段」とは、予め複数種類の演出内容を定めておき、操作検出手段の検出結果に基づいて、所定の演出内容が選択されるようなものである。例えば、「操作手段を操作する側が優勢となるような演出内容」、「操作手段を操作する側が劣勢となるような演出内容」、「表示内容がこう着状態となるような演出内容」、等とすることができる。
【００６５】
手段２１によれば、操作手段の操作が検出され、その検出結果に基づいて、所定の演出内容が選択されて、その選択された演出内容が特別演出シーンに反映されるものである。具体的には、例えば、操作手段の操作に応じて、前進するような演出内容が選択されたり、後退するような演出内容が選択されたりすることで、特別演出シーンの表示内容が変化するものである。或いは、特別演出シーンにおいて選択項目を表示させ、操作手段の操作に応じて、選択項目を選択させることで演出内容を選択して特別演出シーンの表示内容を変化させるものである。これにより、操作手段を操作することで、特別演出シーンの表示内容が変化し、その内容の変化を遊技者が意図するものや、意図しないもの等に変化させることができ、抑揚に富んだ面白味のある演出表示をすることができる。なお、上記の操作状況判断手段の判断に基づいても、選択させるようにすることで、操作手段の色々な操作によって表示内容を種々に変更させることが可能となり、より興趣を高められるものとすることができる。なお、予め「優勢」、「劣勢」、「こう着状態」、などを示すカットを予め複数用意しておき、操作手段の操作状況に応じて所望のカットを表示するようにしても良い。
【００６６】
手段２２：手段２１の構成において、「前記演出シーン制御手段は、前記演出内容選択手段による選択結果に基づいて、前記特別演出シーンの内容を、前記操作手段を操作する側が、優勢となるような演出表示、状況が変化しないような演出表示、及び劣勢となるような演出表示、の何れかの演出表示をする」ものであることを特徴とする。
【００６７】
手段２２によれば、演出内容選択手段の選択結果、つまり、操作手段の操作に応じて、特別演出シーンの内容が、優勢となったり、変化しなかったり、劣勢となったりするように変化する。これにより、遊技者の操作に応じて優勢となったり、劣勢となったりする演出表示がされるので、その表示内容へ感情移入し易くなり、一体感溢れる演出表示をすることができると共に、操作手段を操作したくなるようにすることができる。
【００６８】
手段２３：手段２１又は手段２２の構成において、「前記演出内容選択手段による演出内容の選択を繰返し実行させる繰返し手段を更に具備し、前記演出シーン制御手段は、前記繰返し手段によって繰返される前記演出内容選択手段の選択結果に基づいて、前記特別演出シーンの内容を制御して表示する」ものであることを特徴とする。
【００６９】
手段２３によれば、操作手段の操作に応じ、繰返し手段によって特別演出シーンの演出内容が繰返し変更されるので、変化に富んだ演出シーンを表示することができ、面白味の有る表示とすることができる。また、繰返して特別演出シーンの内容を変化させることができるので、遊技者は希望とする演出内容となるように繰返し操作手段を操作するようになり、より一体感の有る演出表示とすることができる。
【００７０】
また、繰返し演出内容を変化させることができるので、特別演出シーンとして、例えば、「綱引き」を行う演出表示とした場合、演出内容選択手段によって、優勢な演出内容として遊技者側が勝つ方向へ、劣勢な演出内容として遊技者側が負ける方向へ綱が移動するように表示させ、操作手段の操作に応じて選択される演出内容を変えることで、綱が前進したり後退したりする表示が可能となる。これにより、「綱引き」の綱が一進一退するような内容のものとすることができ、より面白味のある演出表示とすることができる。
【００７１】
手段２４：手段２１から手段２３までの何れか一つの構成において、「前記演出内容選択手段は、前記演出シーン制御手段による前記特別演出シーンの表示状況に応じて、選択する演出内容の選択基準を変化させる」ものであることを特徴とする。
【００７２】
手段２４によれば、特別演出シーンの表示状況に応じて、演出内容の選択基準を変化させるものである。具体的には、例えば、特別演出シーンにおいて、操作手段を操作する遊技者側が劣勢な表示内容であれば、選択基準を変化させて優勢な演出内容が選択され易くなるようしたり、或いは、遊技者側が優勢な表示内容であれば、更に優勢な表示内容とならないように、選択基準を変化させて優勢な演出内容が選択され難くなるようにしたりすることができる。これにより、当初は容易に進むことができるものの、優勢になればなるほど容易に進めなくなるような演出をすることが可能となり、抑揚に富んだ面白味の有るものとすることができると共に、よりゲーム性に富んだものとすることができる。
【００７３】
手段２５：手段１９から手段２４までの何れか一つの構成において、「前記演出シーン制御手段による前記特別演出シーンの表示に基づいて、前記操作手段の操作を案内する案内手段を更に具備する」ものであることを特徴とする。
【００７４】
ここで、「案内手段」としては、特に限定するものではないが、表示手段に所定の案内表示をすることで視覚的に案内するもの、スピーカー等から音声や音楽など所定の案内音を流すことで聴覚的に案内するもの、などを例示することができる。なお、案内手段による案内は、操作手段の操作開始を案内したり、特別演出シーンの表示途中で操作手段の操作を促すように案内したりするものである。
【００７５】
手段２５によれば、特別演出シーンが表示されると、案内手段によって操作手段の操作が案内されるので、操作手段の操作を開始するタイミングを認識させたり、操作手段の操作方法を認識させたりすることが可能となり、遊技者に操作手段の操作を促すことができる。また、操作手段の操作が案内されることで、遊技者に対して操作開始までの待機状態における期待感を高めて、よりテンションを高められる効果が期待できる。
【００７６】
手段２５：手段１９から手段２５までの何れか一つの構成において、「前記演出シーン制御手段は、前記特別演出シーンの表示中に、前記操作手段による操作を有効とした上で、所定時間の経過又は該特別演出シーンの表示内容が所定条件を満たすと、前記操作手段による操作を無効とする」ものであることを特徴とする。
【００７７】
手段２５によれば、特別演出シーンにおいて、操作手段の操作を有効として、操作手段の操作に応じて特別演出シーンを変化させると共に、所定時間経過後又は特別演出シーンの表示内容が所定条件を満たすと、操作手段の操作を無効にして、操作手段の操作によって特別演出シーンが変化しないようにするものである。これにより、所定の期間のみ操作手段の操作が有効とされるので、その期間以外は本来の遊技媒体による遊技に専念することができ、その遊技に集中させることができる。
【００７８】
また、所定の期間のみ操作手段による操作が可能となるので、例えば、その期間内において、操作手段によってキャラクタ等を操作して所定の目的を達成させるような演出表示を行い、所定時間内にそれが達成できるか否かのゲーム性の有るものとすることができる。なお、「特別演出シーンの表示内容が所定の条件を満たす」とは、例えば、ゲーム性の有る表示内容であれば、そのゲームが達成されると所定の条件を満たしたこととなる。
【００７９】
手段２６：手段２５の構成において、「前記演出シーン制御手段は、前記案内手段によって前記操作手段の操作を開始する案内がされると、前記操作手段による操作を有効とする」ものであることを特徴とする。
【００８０】
手段２６によれば、案内手段によって操作手段の操作開始が案内されると、操作手段の操作に応じて、特別演出シーンの表示内容を変化させることができるものである。これにより、遊技者に対して操作手段の操作開始時期を明確に認識させることができ、操作手段を遅滞無く操作させることができる。
【００８１】
手段２７：手段２５又は手段２６の構成において、「前記演出シーン制御手段によって前記操作手段による操作が無効となると、該特別演出シーンの表示状況、及び前記抽選手段による抽選結果に基づいて、所定の終局カットを表示する終局カット表示手段を更に具備する」ものであることを特徴とする。
【００８２】
ここで、「終局カット」とは、特別演出シーンにおいて内容的に最後の部分となるカットのことで、必ずしも特別演出シーンの最後のカットとは限らないものである。この終局カットとしては、特に限定するものではないが、「操作手段を操作する遊技者側が勝利したことを示す内容のカット」、「操作手段を操作する遊技者側が敗退したことを示す内容のカット」、「操作手段を操作する遊技者側が逆転勝利したことを示す内容のカット」、「操作手段を操作する遊技者側が逆転敗退したことを示す内容のカット」、「操作手段を操作する遊技者側が敗退した後に、当り（大当り）となったことを示すカット」、などを例示することができる。
【００８３】
手段２７によれば、操作手段による操作が無効となる、つまり、操作手段の操作による演出表示が最終局面となると、そのときの特別演出シーンの表示状況と抽選手段の抽選結果とを基に、所定の終局カットを表示するものである。具体的には、例えば、特別演出シーンにおいて、遊技者側が勝利するような状態で最終局面を迎えた場合、抽選結果が当りであれば勝利したことを示す終局カットを、抽選手段がハズレであれば逆転負けしたことを示す終局カットを表示するものである。これにより、操作手段による操作結果を明確に認識することができ、例えば、勝利であれば達成感を得ることができ、興趣を高めることができる。また、喩え負けたとしても、操作手段による操作が至らなかったように思わせることができ、次回の操作機会を期待させるようにすることができ、興趣が低下するのを抑制することができる。
【００８４】
また、例えば、特別演出シーンにおいて、遊技者側が負けそうな状態で最終局面を迎えた場合、抽選結果が当りであれば逆転勝利したことを示す終局カットを、抽選結果がハズレであれば負けたことを示す終局カットを表示しても良く、上記と同様の効果を奏する他に、逆転勝利した場合、特に喜びが大きくなり特に興趣を高めることができる。なお、抽選結果が当りでも、終局カットとして一端負けたことを示す表示をした上で当りを示す表示をするようなカットとしても良く、これにより、一端負けたと思わせて当りを示すことで、抑揚に富んだものとすることができる。
【００８５】
手段２８：手段２５から手段２７までの何れか一つの構成において、「前記演出シーン制御手段により前記操作手段による操作を有効としてから、該特別演出シーンの表示内容が所定条件を満たすまでの時間を計測する時間計測手段を更に具備する」ものであることを特徴とする。
【００８６】
手段２８によれば、操作手段の操作が開始されてから、特別演出シーンの表示内容が所定条件を満たすまでの時間を計測するものである。つまり、操作手段を操作して所定の内容を達成するまでに要した時間（達成時間又はクリアタイム）を計測するもので、これにより、この計測時間を、例えば、表示手段等に示すことで、遊技者は、達成時間を認識することが可能となり、達成時間を競うような演出内容に好適に用いることができる。
【００８７】
手段２９：手段２８の構成において、「前記時間計測手段によって計測された計測時間を記憶する記憶手段と、該記憶手段から記憶された計測時間を抽出する計測時間抽出手段とを更に具備し、前記演出シーン制御手段は、前記特別演出シーンの表示内容が所定条件を満たした上で、前記終局カット表示手段により終局カットが表示された後に、前記計測時間抽出手段によって前記記憶手段から抽出した所定の計測時間と、前記時間計測手段によって計測された計測時間とを表示させる」ものであることを特徴とする。
【００８８】
手段２９によれば、特別演出シーンおける終局カットの表示後に、たった今計測された計測時間と、過去に計測された計測時間とを表示するものである。これにより、今回の計測時間（達成時間）と過去の達成時間とを対比させることができ、その時間差を認識させることで、一喜一憂させるような効果が期待できる表示が可能となる。なお、記憶手段から抽出する計測時間を、例えば、上位いくつかの計測時間を抽出して表示するようにしても良く、これにより、今回の計測時間の位置付けが明確になると共に、達成時間を競わせるような演出表示とすることが可能となり、よりゲーム性に富んだものとすることができる。
【００８９】
手段３０：手段１〜手段２９までの何れか一つの構成において、「前記抽選手段の抽選結果が所定結果である場合、遊技者に有利な有利遊技状態を発生させる有利遊技状態発生手段を更に具備し、前記特別演出シーンは、前記有利遊技状態が発生する可能性が高いことを示唆する」ものであることを特徴とする。
【００９０】
ここで、「有利遊技状態」とは、通常の遊技状態よりも遊技者に有利となる状態を意味ものであり、以下のように種々の状態を例示できる。
【００９１】
（１）パチンコ機等の遊技機において、開閉駆動される入賞口を、所定回数繰返し開閉させたり、所定時間、あるいは遊技球が所定個数入賞するまで継続して開放させて、遊技球が多量に入賞口に入賞し易くした状態（所謂「大当り状態」）。
【００９２】
（２）パチンコ等の遊技機において、大当り状態が発生する確率を通常よりも高確率とした状態、所謂「確率変動状態」。
【００９３】
（３）パチンコ機等の遊技機において、遊技球の入賞や通過により大当り状態を発生させるか否かの抽選を行う抽選用の入球装置を、通常よりも遊技球が入球し易い状態とし、大当りの抽選が通常よりも頻繁に行われるようにした状態、所謂「時間短縮状態」。
【００９４】
（４）スロットマシーン等の遊技機において、所定ゲームの間、遊技媒体であるメダルの払出しを行う絵柄にてドラムが停止され易くした状態、所謂「ボーナスゲーム状態」。
【００９５】
（５）スロットマシーン等の遊技機において、ボーナスゲーム状態が発生する確率を通常よりも高確率とした状態、所謂「確率変動状態」。
【００９６】
手段３０の構成によれば、特別演出シーンは、有利遊技状態になる可能性が高いことを示唆するものであることから、遊技者は特別演出シーンが表示されることを願うようになる。つまり、表示されている演出シーンの途中で特別演出シーンに変更されるのを強く期待するようになるので、何時変更されるのかと言う期待感が常に得られると共に、何処で変更されるのかが気になり、どんな演出シーンでも注目させることができ、興趣に富んだものとすることができる。
【００９７】
手段３１：「遊技者の操作に応じて変化する遊技状態を検出する遊技状態検出手段と、特別図柄を表示するための特別図柄表示器と、前記遊技状態検出手段によって検出された前記遊技状態に基づいて所定の抽選結果を抽選する抽選手段、前記特別図柄表示器において前記特別図柄を変動させるとともに、前記抽選手段の抽選結果に基づいて前記特別図柄の変動を停止させる特別図柄変動制御手段、及び前記抽選手段の抽選結果が所定結果である場合、遊技者に有利な有利遊技状態を発生させる有利遊技状態発生手段を有する主基板と、遊技者が操作可能な操作手段と、該操作手段の操作を検出する操作検出手段と、複数の装飾図柄からなる図柄列、キャラクタ、及び背景を表示するための表示手段と、該表示手段において複数の前記図柄列を変動させると共に、前記主基板から送信される制御コマンドを基に、予め設定された複数の演出表示態様から所定の演出表示態様を表示させる演出表示制御手段、該演出表示制御手段により表示される演出表示態様における演出シーンの表示途中から、前記操作検出手段によって検出された操作に応じて表示内容を制御可能な特別演出シーンに変更して表示させる演出シーン変更制御手段を有する周辺基板とを具備する」ものであることを特徴とする。
【００９８】
手段３１の構成によれば、制御の内容が、主基板と周辺基板とで分担され、主基板では、遊技状態に基づいて所定の抽選結果を抽選するとともに、特別図柄表示器において特別図柄を変動させ抽選結果に基づいて特別図柄の変動を停止させる処理が実行される。また、抽選結果が所定結果である場合、遊技者に有利な有利遊技状態を発生させる処理も行われる。一方、周辺基板では、演出表示手段に複数の図柄列を変動させ、主基板から送信される制御コマンドを基に図柄列を順に停止させる処理と、同演出表示手段において装飾図柄とキャラクタとによる演出表示を行わせる処理とが実行される。このように、上述の演出表示を周辺基板において行わせることにより、主基板の負担を大きくすることなく、多彩な演出シーンを容易に実現させると共に、遊技者が参加可能なゲーム性のある演出を容易に実現させることが可能になる。
【００９９】
手段３２：手段１〜手段３１のいずれか一つの構成において、前記遊技機は、パチンコ遊技機であることを特徴とする。パチンコ遊技機とは、操作ハンドルの操作に対応して発射装置から遊技球を発射し、多数の障害釘、センター役物、始動口、大入賞口、及び表示手段等が組み込まれた遊技領域に遊技球を導くとともに、始動口や大入賞口への入賞に伴い所定数の遊技球を賞球として払い出すものである。また、始動口への入賞を契機として特別図柄表示手段において特別図柄を変動させるとともに、内部的に行われる抽選結果に応じて図柄の変動を停止させるものである。また、特別図柄の変動中、複数の装飾図柄からなる装飾図柄列を変動表示させるとともに、所定のタイミングでキャラクタ等を出現させる演出表示手段が設けられる場合もある。
【０１００】
手段３２によると、パチンコ遊技機において、手段１〜手段３１までのいずれかの作用効果を奏することができる。
【０１０１】
手段３３：手段１〜手段３１のいずれか一つの構成において、前記遊技機は、停止操作機能付きスロットマシーンであることを特徴とする。停止操作機能付きスロットマシーンとは、遊技媒体としてメダルを使用し、メダルの投入後、始動用操作手段（例えば操作レバー）の操作に応じて複数の図柄からなる図柄列を変動表示させるとともに、その後、停止用操作手段（例えばストップボタン）の操作に応じて図柄列の変動を停止させるものである。なお、所定時間が経過しても停止用操作手段が操作されない場合には、所定時間経過したことに応じて図柄列の変動を停止させるものであってもよい。そして、図柄列の変動停止時における図柄の組合わせが特定の条件を満たす場合に、遊技者に有利な特別有利状態としてメダルを払い出すものである。
【０１０２】
手段３３によると、停止操作機能付きスロットマシーンにおいて、手段１〜手段３１までのいずれかの作用効果を奏することができる。
【０１０３】
手段３４：手段１〜手段３１のいずれか一つの構成において、前記遊技機は、パチンコ遊技機と停止操作機能付きスロットマシーンとを融合させてなる遊技機であることを特徴とする。ここで、「パチンコ遊技機と停止操作機能付きスロットマシーンとを融合させてなる遊技機」とは、複数個（例えば５個）の遊技球を１単位として投入した後、始動用操作手段（例えば操作レバー）の操作に応じて複数の図柄からなる図柄列を変動表示させるとともに、その後、停止用操作手段（例えばストップボタン）の操作に応じて図柄列の変動を停止させるものである。なお、所定時間が経過しても停止用操作手段が操作されない場合には、所定時間経過したことに応じて図柄列の変動を停止させるものであってもよい。そして、図柄列の変動停止時における図柄の組合わせが特定の条件を満たす場合に、遊技者に有利な特別有利状態として遊技球を払い出すものである。
【０１０４】
手段３４によると、パチンコ遊技機と停止操作機能付きスロットマシーンとを融合させてなる遊技機において、手段１〜手段３１までのいずれかの作用効果を奏することができる。
【発明の効果】
【０１０５】
このように、本発明の遊技機では、決められた演出シーンの表示が開始されても、その表示途中で、決められた演出シーンとは異なる特別演出シーンに変更することで、飽き難く、興趣の低下を防止することができる遊技機を提供することができる。
【発明を実施するための最良の形態】
【０１０６】
以下、本発明の一実施形態であるパチンコ遊技機（以下、単に「パチンコ機」という）を、図面に基づいて詳細に説明する。
［パチンコ機の全体構成について］  図１に基づき説明する。
図１はパチンコ機の外枠の一側に本体枠が開かれその本体枠の一側に前面枠が開かれた状態を示す斜視図である。なお、図１においては遊技領域における装飾部材が省略された図を示している。
パチンコ機１は、外枠２、本体枠３、前面枠４、及び遊技盤５等を備えて構成されている。外枠２は、上下左右の木製の枠材によって縦長四角形の枠状に形成され、同外枠２の前側下部には、本体枠３の下面を受ける下受板６を有している。外枠２の前面の片側には、ヒンジ機構７によって本体枠３が前方に開閉可能に装着されている。なお、外枠２は、樹脂やアルミニウム等の軽金属によって形成されていてもよい。
【０１０７】
［本体枠の構成について］  図２及び図４に基づき説明する。
図２はパチンコ機１の前側全体を示す正面図であり、図４はパチンコ機１の本体枠３と遊技盤５とを分離して斜め右上前方から示す斜視図である。
本体枠３は、前枠体１１、遊技盤装着枠１２及び機構装着体１３を合成樹脂材によって一体成形することで構成されている。本体枠３の前枠体１１は、外枠２（図１参照）の前側の下受板６を除く外郭形状に対応する大きさの矩形枠状に形成されている。そして、前枠体１１の片側の上下部には、本体枠側ヒンジ具１５が固定されており、外枠２の片側の上下部に固定された外枠側ヒンジ具１４に対してヒンジピン及びヒンジ孔によって開閉回動可能に装着されている。すなわち、外枠側ヒンジ具１４、本体枠側ヒンジ具１５、ヒンジピン及びヒンジ孔によってヒンジ機構７が構成されている。
【０１０８】
前枠体１１の前側において、遊技盤装着枠１２よりも下方に位置する前枠体１１の前下部左側領域にはスピーカボックス部１６が一体に形成され、そのスピーカボックス部１６の前側開口部には、同開口部を塞ぐようにしてスピーカ装着板１７が装着されている。そして、スピーカ装着板１７にはスピーカ１８が装着されている。また、前枠体１１前面の下部領域内において、その上半部分には発射レール１９が傾斜状に装着されている。また、前枠体１１前面の下部領域内の下半部分には下部前面板３０が装着されている。そして、下部前面板３０の前面の略中央部には、遊技球を貯留可能な下皿３１が設けられ、右側寄りには操作ハンドル３２が設けられ、左側寄りには灰皿３３が設けられている。なお、下皿３１には、遊技球を下方に排出するための球排出レバー３４が配設されている。
【０１０９】
［前面枠の構成について］  図１及び図２に基づき説明する。
前枠体１１の前面の片側には、その前枠体１１の上端から下部前面板３０の上縁にわたる部分を覆うようにして、前面枠４がヒンジ機構３６によって前方に開閉可能に装着されている。また、前面枠４の略中央部には、遊技盤５の遊技領域３７を前方から透視可能な略円形の開口窓３８が形成されている。また、前面枠４の後側には開口窓３８よりも大きな矩形枠状をなす窓枠３９が設けられ、その窓枠３９にはガラス板、透明樹脂板等の透明板５０が装着されている。また、前面枠４の前面の略全体は、ランプ等が内設された前面装飾部材によって装飾され、同前面枠４の前面の下部には上皿５１が形成されている。詳しくは、開口窓３８の周囲において、左右両側部にサイド装飾装置５２が、下部に上皿５１が、上部に音響電飾装置５３が装着されている。サイド装飾装置５２は、ランプ基板が内部に配置され且つ合成樹脂材によって形成されたサイド装飾体５４を主体として構成されている。サイド装飾体５４には、横方向に長いスリット状の開口孔が上下方向に複数配列されており、該開口孔には、ランプ基板に配置された光源に対応するレンズ５５が組み込まれている。音響電飾装置５３は、透明カバー体５６、スピーカ５７、スピーカカバー５８、及びリフレクタ体（図示しない）等を備え、これらの構成部材が相互に組み付けられてユニット化されている。また、上皿５１の左側には、遊技者が操作可能なボタン６０が設けられている。
【０１１０】
［施錠装置の構成について］  図１及び図４に基づき説明する。
前枠体１１のヒンジ機構３６に対して反対側となる自由端側の後側には、外枠２に対し本体枠３を施錠する機能と、本体枠３に対し前面枠４を施錠する機能とを兼ね備えた施錠装置７０が装着されている。すなわち、この実施形態において、施錠装置７０は、外枠２に設けられた閉止具７１に係脱可能に係合して本体枠３を閉じ状態に施錠する上下複数の本体枠施錠フック７２と、前面枠４の自由端側の後側に設けられた閉止具７３に係脱可能に係合して前面枠４を閉じ状態に施錠する上下複数の扉施錠フック７４と、パチンコ機１の前方から鍵が挿入されて解錠操作可能に、前枠体１１及び下部前面板３０を貫通して露出されたシリンダー錠７５と、を備えている。そして、シリンダー錠７５の鍵穴に鍵が挿入されて一方向に回動操作されることで本体枠施錠フック７２と外枠２の閉止具７１との係合が外れて本体枠３が解錠され、これとは逆方向に回動操作されることで、扉施錠フック７４と前面枠４の閉止具７３との係合が外れて前面枠４が解錠されるようになっている。
【０１１１】
［遊技盤装着枠及び遊技盤の構成について］  図１、図３、図４、及び図５に基づき説明する。
図３は遊技領域３７の構成を示す拡大正面図であり、図５はパチンコ機１の後側全体を示す背面図である。
図１及び図４に示すように、本体枠３の遊技盤装着枠１２は、前枠体１１の後側に設けられかつ遊技盤５が前方から着脱交換可能に装着されるようになっている。遊技盤５は、遊技盤装着枠１２の前方から嵌込まれる大きさの略四角板状に形成されている（図１１参照）。遊技盤５の盤面（前面）には、外レール７６と内レール７７とを備えた案内レール７８が設けられ、その案内レール７８の内側に遊技領域３７が区画形成されている。なお、発射レール１９と案内レール７８との間には、所定の隙間が設けられており、発射された遊技球が案内レール７８を逆戻りした場合には、その遊技球は、その隙間から排出され下皿３１に案内されるように構成されている。また、遊技盤５の前面には、その案内レール７８の外側領域において、合成樹脂製の前構成部材７９が装着されている。
【０１１２】
図３に示すように、遊技領域３７内には多数の障害釘（参照符号なし）が所定のゲージ配列をなして設けられているほか、その途中の適宜位置に風車９０が設けられている。遊技領域３７のほぼ中央位置には、センター役物９１が配設されており、このセンター役物９１のデザインによってパチンコ機１の機種やゲームコンセプト等が特徴付けられている。
【０１１３】
センター役物９１は全体として額縁状の装飾体から構成されており、その上縁部にはキャラクタの頭部をデザインした、キャラクタ体９２が一体的に取り付けられている。なお、このキャラクタ体９２は、旋回可能な可動役物として機能している。さらに、キャラクタ体９２の左右には別のキャラクタをデザインした装飾体９３が配設されている。
【０１１４】
また、センター役物９１の上縁部または左右側縁部には、図示しないワープ入口とともにワープ通路が形成されており、遊技盤面に沿って流下する遊技球がワープ入口に入り込むと、ワープ通路を通じてセンター役物９１の内側に取り込まれるようになっている。
【０１１５】
センター役物９１の内側には、その下縁部に球受け棚９４（ステージとも称する）が形成されており、この球受け棚９４は前後方向に一定の奥行きを有している。ワープ通路を通って取り込まれた遊技球はセンター役物９１の内側へ放出され、球受け棚９４に誘導される。球受け棚９４はその上面にて遊技球を転動させ、その動きにいろいろな変化を与えて遊技に面白みを付加する。
【０１１６】
また、センター役物９１の下縁部には、その中央位置に球誘導路９５が形成されており、この球誘導路９５への入口（図示しない）は球受け棚９４の上面に形成されている。球受け棚９４から球誘導路９５の入口に落下した遊技球は、そのまま球誘導路９５を通って下方に案内される。
【０１１７】
一方、球誘導路９５の出口は正面に向けて開口しており、この出口から放出された遊技球は、ほぼ真下に向かって落下する。遊技領域３７には、球誘導路９５の直ぐ下方位置に入球装置９６が配置されており、この入球装置９６に遊技球が入球すると始動入賞となる。したがって、球誘導路９５から放出された遊技球は、相当高い確率で始動入賞することができるものとなっている。入球装置９６は左右一対の可動片９７を有しており、これら可動片９７を左右に拡開させて入球確率を高くすることが可能となっている。
【０１１８】
また遊技領域３７には、上記の入球装置９６のさらに下方位置にアタッカ装置９８が配設されており、このアタッカ装置９８は開閉部材９９を前後方向に開閉動作させることにより大入賞口を開閉させる。
【０１１９】
また、センター役物９１の下縁部には、特別図柄表示器（詳細は後述する）として機能する四つのＬＥＤ１１０と、抽選の保留状態を示す四つのＬＥＤ（保留球ランプ）１１１とが設けられている。四つの保留球ランプ１１１は、「大当り」の抽選において、保留回数分（最大４回）だけ点灯するようになっている。また、これらの下方には、始動ゲート口１１３への遊技球７の通過による抽選結果を表示する普通図柄表示器１１２ａ、及び抽選状態を表示する状態表示器１１２ｂ等が設けられている。
【０１２０】
その他、遊技領域３７には始動ゲート口１１３や一般入賞口１１４等が配設されている。また、センター役物９１の内側には演出表示装置１１５が配設されており、この演出表示装置１１５では、例えば動画や映像等の画像、或いは可動部材の動作等による演出表示が行われる。なお、演出表示装置１１５としては、液晶表示装置、ＥＬ表示装置、プラズマ表示装置、及びＣＲＴ等の表示装置を例示することができる。演出表示装置１１５の表示面はセンター役物９１の後側においてその開口窓に臨んで装着されており、センター役物９１は、遊技盤５の中央部に貫設された組付孔に嵌込まれ、センター役物９１の後部及び演出表示装置１１５の表示装置制御基板１１６（図１０参照）を有する表示装置制御基板ボックス１１７は遊技盤５の後側に突出して配設されている。ここで、演出表示装置１１５が本発明の表示手段に相当する。   
【０１２１】
一方、図５に示すように、遊技盤５の後側下部には、その中央部から下部にわたる部分において、各種入賞装置に流入した遊技球を受けかつその遊技球を所定位置まで導く集合樋としての機能とボックス装着部としての機能を兼ね備えたボックス装着台１１８が設けられている。このボックス装着台１１８には、音声制御基板、ランプ制御基板等の副制御基板１１９が収納された副制御基板ボックス１３０が装着され、その副制御基板ボックス１３０の後側に重ね合わされた状態で、主制御基板１３１が収納された主制御基板ボックス１３２が装着されている。さらに、遊技盤５の後側に対しボックス装着台１１８、副制御基板ボックス１３０及び主制御基板ボックス１３２がそれぞれ装着された状態において、本体枠３の遊技盤装着枠１２の前方から遊技盤５を嵌込んで装着できるように、遊技盤５の外郭より外側にはみ出すことなくボックス装着台１１８、副制御基板ボックス１３０及び主制御基板ボックス１３２が配置されている。
【０１２２】
［本体枠の機構装着体、球タンク及びタンクレールの構成について］  図８及び図９に基づき説明する。
図８はパチンコ機１の本体枠３に各種部材が組み付けられた状態を斜め右上後方から示す斜視図であり、図９は本体枠３単体を斜め右上後方から示す斜視図である。
本体枠３の機構装着体１３には、タンク装着部１３３、レール装着部１３４、及び払出装置装着部１３５等がそれぞれ形成され、タンク装着部１３３には球タンク１３６が装着されている。球タンク１３６は、透明な合成樹脂材よりなり、島設備から供給される多数の遊技球が貯留可能な上方に開口する箱形状に形成されている。そして、球タンク１３６の遊技球の貯留状態が球タンク１３６の後側壁を透して視認可能となっている。また、球タンク１３６の底板部１３７の後側隅部には遊技球を放出する放出口１３８が形成されるとともに、底板部１３７は放出口１３８に向けて下傾する傾斜面に形成されている。
【０１２３】
本体枠３の機構装着体１３には、そのタンク装着部１３３に下方に接近してレール装着部１３４が一体に形成され、そのレール装着部１３４にレール構成部材１３９が装着されることでタンクレール１５０が構成されるようになっている。すなわち、この実施形態において、レール装着部１３４は、本体枠３の上部横方向部分が所定深さ凹まされた状態で形成されており、その凹部の奥側壁をタンクレール１５０の前壁部１５１とし、その凹部の下縁部に沿って一端（図９に向かって左端）から他端（図９に向かって右端）に向けて下傾する傾斜状のレール棚１５５が形成されている。そして、レール棚１５５の横方向に延びる上向き面をレール受け部１５８としている。
【０１２４】
レール装着部１３４に装着されてタンクレール１５０を構成するレール構成部材１３９は、レール装着部１３４の前壁部１５１との間にレール通路を構成する後壁部１５２と、傾斜状をなす下板部と、その下板部の上面の前後方向中央部に沿って突設されレール通路を前後複数列（この実施形態では前後２列）に区画する仕切り壁（いずれも図示しない）とを一体に備えて形成されている。このレール構成部材１３９は、レール装着部１３４に対し適宜の取付手段によって装着され、これによって、前後複数列のレール通路を備えたタンクレール１５０が構成されている。そして、球タンク１３６の放出口１３８から放出（自重によって落下）された遊技球がタンクレール１５０の前後複数列のレール通路の一端部においてそれぞれ受けられた後、遊技球が自重によってレール通路に沿って転動することでレール通路の他端部に向けて流れるようになっている。また、この実施形態において、レール構成部材１３９は、透明な合成樹脂材より形成され、これによって、レール通路内の遊技球の流れ状態が、レール構成部材１３９の後壁部１５２を透して視認可能となっている。
【０１２５】
タンクレール１５０（レール装着部１３４）の前壁部１５１は、遊技盤５の後側に突出する装備品（例えばセンター役物９１）における後部の上端部との干渉を避けるため第１空間部を隔てた状態で設けられている。また、この実施形態において、本体枠３の後端部となるレール棚１５５の後端と、タンクレール１５０の後壁部は、球タンク１３６の後側壁と略同一面をなしている。言い換えると、球タンク１３６の後壁部に対しタンクレール１５０の後壁部が略同一面となる位置までタンクレール１５０が遊技盤５の後面より後方に離隔して配置されている。これによって、遊技盤５の後側とタンクレール１５０の前壁部１５１との間にセンター役物９１の後部との干渉を避けるための第１空間部が設けられるようになっている。
【０１２６】
また、タンクレール１５０の上方には、レール通路を流れる遊技球を上下に重なることなく整列させる整流体１５６がその上部において軸１５７を中心として揺動可能に装着されている。この整流体１５６には、その中央部から下部において錘が設けられている。
【０１２７】
［払出装置装着部及び球払出装置の構成について］  図８及び図９に基づき説明する。
本体枠３の機構装着体１３の片側寄りの上下方向には、次に述べる球払出装置（球払出ユニット）１７０に対応する縦長の払出装置装着部１３５が形成されている。払出装置装着部１３５は、後方に開口部をもつ凹状に形成されている。また、払出装置装着部１３５の段差状をなす奥壁部（図示しない）の所定位置には、球払出装置１７０の払出用モータ１７２（図４参照）が突出可能な開口部１７３が形成されている。
【０１２８】
払出装置装着部１３５の凹部に球払出装置１７０が装着された状態において、遊技盤５との間には、第１空間部と前後方向に略同一レベルとなる第２空間部が設けられている。これによって、レール通路と球通路とが前後方向に略同一レベルで配置されている。また、本体枠３の後端、すなわち払出装置装着部１３５の周壁部後端、レール棚１５５の後端、球タンク１３６、タンクレール１５０及び球払出装置１７０のそれぞれの後面は略同一面をなしている。
【０１２９】
球払出装置１７０は、払出装置装着部１３５の凹部と略同じ大きさの縦長のボックス形状をなし、払い出しに関する各種部品が装着されることでユニット化されている。なお、球払出装置１７０は、払出装置装着部１３５の凹部の後方開口部から嵌込まれて適宜の取付手段（例えば、弾性クリップ、係止爪、ビス等の取付手段）によって装着されるようになっている。
【０１３０】
また、図示しないが、球払出装置１７０は、タンクレール１５０におけるレール通路の出口にそれぞれ連通する流入口を有する球通路が前後複数列（例えば前後２列）に区画されて形成されている。また、その内部に形成された前後複数列の球通路の下流部が二股状に分岐されて前後複数列の賞球及び貸球用球通路と球抜き用球通路とがそれぞれ形成されている。そして賞球及び貸球用球通路と球抜き用球通路との分岐部には、遊技球をいずれかの通路に振り分けて払い出すための回転体よりなる払出部材（図示しない）が正逆回転可能に配設されている。
【０１３１】
［本体枠の後側下部の装備について］  図４及び図５に基づき説明する。
本体枠３の前枠体１１の後側において、遊技盤装着枠１２よりも下方に位置する前枠体１１の後下部領域の片側（図５に向かって左側）には、発射レール１９の下傾端部の発射位置に送られた遊技球を発射するための発射ハンマー（図示しない）、その発射ハンマーを作動する発射モータ１９２等が取付基板１９３に組み付けられてユニット化された発射装置ユニット１９４が装着されている。また、前枠体１１の後下部領域の略中央部には、電源基板１９５を収容する電源基板ボックス１９６が装着され、その電源基板ボックス１９６の後側に重ね合わされた状態で払出制御基板１９７を収容する払出制御基板ボックス１９８が装着されている。払出制御基板１９７は、遊技球を払い出す数を記憶するＲＡＭを備え、主制御基板１３１から送信される払出用信号に従って遊技球を払い出す制御信号を中継用回路基板（図示しない）に伝達して払出用モータ１７２を作動制御するようになっている。
【０１３２】
［後カバー体の構成について］  図５及び図６に基づき説明する。
図６はパチンコ機１の後側全体を右上後方から示す斜視図である。
遊技盤５後面に配置された表示装置制御基板ボックス１１７（図１１参照）及び主制御基板ボックス１３２の後端部は機構装着体１３の中央部に開口された窓開口部に向けて突出している。そして、機構装着体１３の窓開口部の一側壁を構成する側壁部と他側壁を構成する払出装置装着部１３５の片側壁との間には、不透明な合成樹脂材によって略方形の箱形状に形成された後カバー体２１０がカバーヒンジ機構２１１によって開閉並びに着脱可能に装着されている。
【０１３３】
後カバー体２１０は、略四角形状の後壁部２１２と、その後壁部２１２の外周縁から前方に向けて突出された周壁部２１３とから一体に構成されている。後カバー体２１０の周壁部２１３のうち、一側の壁部２１３ａには、機構装着体１３の側壁部の上下及び中間の計３箇所に形成されたヒンジ体２１４のヒンジ孔の上方からそれぞれ着脱可能に嵌込まれるヒンジピン２１５を下向きに有するヒンジ体２１６が一体に形成されている。また、後カバー体２１０の周壁部２１３のうち、他側の壁部２１３ｂには、払出装置装着部１３５の片側壁に形成された係止孔に弾性的に係合可能な係止爪を有する弾性閉止体２１７が一体に形成されている。
【０１３４】
すなわち、後カバー体２１０は、その上下及び中間のヒンジ体２１６の各ヒンジピン２１５が機構装着体１３の側壁部のヒンジ体２１４のヒンジ孔の上方からそれぞれ嵌込まれる。この状態で、ヒンジピン２１５を中心として後カバー体２１０が機構装着体１３の他側に向けて回動されながら、その弾性閉止体２１７を払出装置装着部１３５の片側壁の係止孔に差し込んで弾性的に係合させることで、機構装着体１３の後側に後カバー体２１０が閉じ状態で保持される。そして、後カバー体２１０によって、遊技盤５後面の表示装置制御基板ボックス１１７（図１１参照）全体及び主制御基板ボックス１３２の略中間部から上端にわたる部分が後カバー体２１０によって覆われるようになっている。これによって、主制御基板ボックス１３２の上部に露出された主制御基板１３１の基板コネクタ（主として表示装置制御基板１１６と接続するための基板コネクタ）が後方から視認不能に隠蔽されている。
【０１３５】
また、主制御基板ボックス１３２の略中間部から下端にわたる部分は後カバー体２１０によって覆われることなく露出されている。そして、主制御基板ボックス１３２の下部には、その主制御基板１３１上に配置された検査用コネクタ２１８が露出されており、後カバー体２１０が閉じられた状態で主制御基板１３１上の検査用コネクタ２１８に基板検査装置（図示しない）を接続して検査可能となっている。
【０１３６】
後カバー体２１０には、多数の放熱孔２３０、２３１、２３２、２３３が貫設されており、これら多数の放熱孔２３０、２３１、２３２、２３３から内部の熱が放出されるようになっている。この実施形態において、後カバー体２１０には、その周壁部２１３から後壁部２１２に延びる多数のスリット状の放熱孔２３０が貫設され、後壁部２１２の略中間高さ位置から上部においては多数の長円形、楕円形等の放熱孔２３１が貫設され、後壁部２１２の下部には多数の長円形、楕円形等の放熱孔２３２と所定数の横長四角形状の放熱孔２３３が貫設されている。
【０１３７】
また、横長四角形状の放熱孔２３３は、主制御基板ボックス１３２の封印ねじ（封印部材）によって封印される複数の並列状の封印部２３５の列の大きさ及び配設位置に対応する大きさ及び位置に貫設されている。これによって、不透明な後カバー体２１０が閉じられた状態であっても、主制御基板ボックス１３２の複数の並列状の封印部２３５が放熱孔２３３の部分において視認可能に露出される。このため、後カバー体２１０が閉じられた状態であっても、主制御基板ボックス１３２の封印部２３５の封印状態を容易に視認することができる。また、不透明な合成樹脂材は、透明な合成樹脂材と比べ、リサイクル使用される合成樹脂材を材料として用いることが容易であるため、後カバー体２１０を安価に製作することができる。
【０１３８】
後カバー体２１０の周壁部２１３のうち、上側壁部２１３ｃの所定位置（この実施形態では左右２箇所）には、電源コード（図示しない）を適宜に折り畳んだ状態で保持する略Ｃ字状でかつ弾性変形可能なコード保持体２３７が上方のタンクレール１５０の後壁面（レール構成部材１３９の後壁面）に向けて延出されている。このコード保持体２３７の先端部には、同コード保持体２３７を弾性変形させて電源コードを取り外すためのつまみが形成されている。
【０１３９】
電源コードは、その一端が分電基板２３８の基板コネクタ２３９に取り外し可能に接続され、他端の電源プラグが電源コンセントに差し込まれる。前記したように、後カバー体２１０にコード保持体２３７を一体に形成して電源コードを保持することで、パチンコ機を運搬・保管する際に電源コードがぶらついて邪魔になったり、異物に引っ掛かる不具合を防止することができる。
【０１４０】
［本体枠の後側下部の下皿用球誘導体等の構成について］  図２及び図７に基づき説明する。
図７は、図６に示すパチンコ機１の斜視図から後ろカバー２１０及び各種制御基板等を取り外した状態を示す斜視図である。
本体枠３の後下部領域の他側寄り部分（ヒンジ寄り部分）には、そのスピーカボックス部１６の後段差部の凹み部分において下皿用球誘導体２５３が装着されている。この下皿用球誘導体２５３は、球払出装置１７０の賞球及び貸球用球通路から上皿連絡路（図示しない）を経て上皿５１に払い出された遊技球が満杯になったときに、上皿連絡路の遊技球を下皿３１に導くためのものである。
【０１４１】
なお、この実施形態において、下皿用球誘導体２５３の後壁外面には、インタフェース基板２５２を収納している基板ボックス２５４が装着されている。なお、インタフェース基板２５２は、パチンコ機１に隣接して設置される球貸機と払出制御基板１９７との間に介在され、球貸に関する信号を球貸機と払出制御基板１９７との間で送受信可能に電気的に接続するようになっている。
【０１４２】
［特別図柄表示器の構成について］  図３に基づき説明する。
本実施形態では、センター役物９１の下縁部のうち、左側に４つのＬＥＤ１１０が配列されており、これらＬＥＤ１１０の配列が特別図柄表示器として機能している。また、その右側にある４つのＬＥＤ１１１の配列は、保留球ランプとなっている。
【０１４３】
本実施形態において、特別図柄表示器の機能はＬＥＤ１１０の点灯・消灯によって実現することができる。例えば、始動入賞を契機として４つのＬＥＤ１１０をいろいろなパターンで点滅させることにより、特別図柄の変動状態を表示する。そして、一定の変動時間が終了すると、４つのＬＥＤ１１０の点灯・消灯表示パターンによって特別図柄の確定した停止状態を表示する。これにより、抽選が行われると、その結果情報がＬＥＤ１１０の点灯・消灯によって報知される。なおＬＥＤ１１０の点灯・消灯による特別図柄の変動表示および停止表示の制御は、主制御基板１３１により行われる。
【０１４４】
具体的には、個々のＬＥＤ１１０は１色（例えば赤色）の発光タイプであり、各ＬＥＤ１１０は「消灯」、及び「点灯」の２通りに表示パターンを切り替えることができる。したがって、４つのＬＥＤ１１０を配列した場合の点灯・消灯表示パターンは、全部で１６通り（２４＝１６）のものを用意することができる。なお、ここでは説明の便宜のために１色だけとしているが、ＬＥＤ１１０の点灯色は２色以上であってもよい。また、ＬＥＤ１１０の配置は１箇所にまとまっている必要はなく、ばらばらに配置されていてもよいし、特に盤面上に配置されている必要もない。あるいは、特別図柄を５つ以上のＬＥＤによって表示してもよいし、７セグメントＬＥＤを用いて表示してもよい。
【０１４５】
一方で、本実施形態のパチンコ機１では、遊技者に利益が付与される態様として２つの大当り態様が用意されており、これらは（１）「通常（非確変）大当り」、（２）「確変大当り」に区別される。
（１）「通常（非確変）大当り」は、例えば最大３０秒間にわたってアタッカ装置９８を一定パターンで開閉させるラウンド動作を１５ラウンドまで繰り返すものであり、このようなラウンド動作の繰り返しは「大当り遊技」と称されている。遊技者は、大当り遊技の間に遊技球を大入賞口に入賞させることで、多くの賞球を獲得することができる。なお、各ラウンド動作は３０秒間が経過するか、１０個の入賞球がカウントされるかのいずれかの条件を満たすと終了する。また大当り遊技は、ラウンド動作が１５回終わると終了となる。
【０１４６】
（２）「確変大当り」は、上記（１）と同様の大当り遊技を可能とするものであるが、大当り遊技の終了後、次回大当りの抽選確率を通常時よりも高く設定（例えば、通常の大当り確率が３２０分の１のところ、５倍の６４分の１に変更）する特典が付加される。このため遊技者が確変大当りを引き当てると、次の大当り確率が高くなって大当りを連続的に引き当てる（いわゆる連荘）ことが可能となる。
【０１４７】
なお、以上の（１）及び（２）でいう具体的な数値は、本発明の実施において最良のものである。その上で、これら数値については各種の変更が可能であり、最良の数値によって限定されることはない。
【０１４８】
また、上記（２）の「確変大当り」によって確率変動状態（高確率状態）になると、毎回の始動入賞を契機として確率変動状態の維持抽選（転落抽選）が行われるものとしてもよい。維持抽選は一定確率で行われ、この維持抽選で落選すると、内部的に高確率状態から低確率状態（通常確率）へ引き戻される処理が行われる。
【０１４９】
［主基板及び周辺基板の機能的構成について］  図１２に基づき説明する。
図１２は制御構成を概略的に示すブロック図である。
パチンコ機１の制御は、大きく分けて主基板３１０のグループと周辺基板３１１のグループとで分担されており、このうち主基板３１０のグループが遊技動作（入賞検出や当り判定、特別図柄表示、賞球払出等）を制御しており、周辺基板３１１のグループが演出動作（発光装飾や音響出力、液晶表示等）を制御している。
【０１５０】
主基板３１０は、主制御基板１３１と払出制御基板１９７とから構成されている。主制御基板１３１は、中央演算装置としてのＣＰＵ３１４、読み出し専用メモリとしてのＲＯＭ３１５、読み書き可能メモリとしてのＲＡＭ３１６を備えている。ＣＰＵ３１４は、ＲＯＭ３１５に格納されている制御プログラムを実行することによりパチンコ機１で行われる各種遊技を制御したり、周辺基板３１１や払出制御基板１９７に出力するコマンド信号を作成したりする。ＲＡＭ３１６には、主制御基板１３１で実行される種々の処理において生成される各種データや入力信号等の情報が一時的に記憶される。主制御基板１３１には、ゲートセンサ３１７、始動口センサ３１８、カウントセンサ３１９、Ｖ入賞センサ３３０等からの検出信号が入力される。一方、主制御基板１３１は、ソレノイド３３１、特別図柄表示器３３２、普通図柄表示器１１２ａ等へ駆動信号を出力する。また、払出制御基板１９７は、中央演算装置としてのＣＰＵ３３３、読み出し専用メモリとしてのＲＯＭ３３４、読み書き可能メモリとしてのＲＡＭ３３５を備えている。そして、払出制御基板１９７は、主制御基板１３１から入力したコマンド信号を処理し、球払出装置１７０に駆動信号を出力する。これにより、球払出装置１７０は、駆動信号に従って遊技球を払い出す。
【０１５１】
主制御基板１３１と払出制御基板１９７との間では、それぞれの入出力インタフェースを介して双方向通信が実施されており、例えば主制御基板１３１が賞球コマンドを送信すると、これに応えて払出制御基板１９７から主制御基板１３１にＡＣＫ信号が返される。
【０１５２】
一方、周辺基板３１１には、サブ統合基板３３６のほかに例えば複数の電飾制御基板３３７，３３８や波形制御基板３３９等が含まれる。上記の主制御基板１３１とサブ統合基板３３６との間では、それぞれの入出力インタフェースと入力インタフェースとの間で一方向だけの通信が行われており、主制御基板１３１からサブ統合基板３３６へのコマンドの送信はあっても、その逆は行われない。
【０１５３】
サブ統合基板３３６もまた、ＣＰＵ３５０をはじめＲＯＭ３５１やＲＡＭ３５２等の電子部品を有しており、これら電子部品によって所定の演出制御プログラムを実行することができる。サブ統合基板３３６とその他の電飾制御基板３３７，３３８や波形制御基板３３９との間では、それぞれの入出力インタフェースとの間で双方向に通信が行われる。１つ目の電飾制御基板３３７には主に保留球ランプ１１１と、サイド装飾装置５２等を含む装飾ランプ３５３とが接続されており、サブ統合基板３３６から電飾制御基板３３７に対して保留球ランプ１１１や装飾ランプ３５３の点灯信号が送信されると、これを受けて電飾制御基板３３７が各ランプ１１１，３５３を点灯させる処理を行う。２つ目の電飾制御基板３３８には演出表示装置１１５とともに演出ランプ３５４が接続されている。例えばサブ統合基板３３６から演出表示装置１１５に対する表示コマンドが電飾制御基板３３８に送信されると、これを受けて電飾制御基板３３８は実際に演出表示装置１１５を作動させる処理を行う。また、図示していないが、これ以外にも、例えばキャラクタ体６２等の可動体を駆動させるためのモータまたはソレノイド等の駆動部材が電飾制御基板３３７，３３８等に接続されている。
【０１５４】
波形制御基板３３９は、音響出力としての可聴音波のほか、不可聴である超音波等の波形信号を生成・送受信する処理を実行している。例えば、サブ統合基板３３６から音響出力コマンドが波形制御基板３３９に送信されると、これを受けて波形制御基板３３９は上記のスピーカ１８，５７を駆動する処理を行う。このほかにも、波形制御基板３３９には超音波送受信装置３５６が接続されており、この超音波送受信装置３５６は、複数の台間で超音波による通信を可能とする。通常、ホールの島設備には複数台のパチンコ機１が並べて設置されるが、超音波送受信装置３５６を装備しているパチンコ機１同士の間では、相互に超音波通信が可能となる。この通信機能を用いて、複数のパチンコ機１で演出動作をシンクロナイズさせたり、特定の台間で遊技情報の交換を行ったりすることができる。
【０１５５】
なお、電飾制御基板３３７，３３８、及び波形制御基板３３９にも、それぞれ中央演算装置としてのＣＰＵ３５７，３５８，３５９、読み出し専用メモリとしてのＲＯＭ３７０，３７１，３７２、及び読み書き可能メモリとしてのＲＡＭ３７３，３７４，３７５を備えている。
【０１５６】
次に、主制御基板１３１（特にＣＰＵ３１４）で実行される制御処理の例について説明する。
【０１５７】
［始動入賞処理について］  図１３に基づき説明する。
図１３は始動入賞処理のルーチンを示している。
この始動入賞処理では、遊技中に始動入賞が有るか否かが判断される（ステップＳ１０１）。具体的には、上記の入球装置９６に対応する始動口センサ３１８から検出信号が入力されると、始動入賞有りと判断され、一方検出信号の入力がなければ、始動入賞は無いものと判断される。
【０１５８】
始動入賞が有りと判断された場合（ステップＳ１０１においてＹＥＳ）、次に始動保留数が最大の４より少ないか否かが判断される（ステップＳ１０２）。このとき既に始動保留数が４に達していれば（ＮＯ）、そのまま始動入賞処理のルーチンがリターンされる。一方、始動保留数が４より少なければ（ＹＥＳ）、次に保留格納処理が行われる（ステップＳ１０３）。この保留格納処理では、例えばＲＡＭ３１６内に確保されている保留数カウンタに「１」が加算され、合わせて保留球ランプ（ＬＥＤ）１１１の点灯個数が１つ増加される。
【０１５９】
また、保留格納処理では、合わせて乱数値の取得が行われる。このとき取得される乱数値には、例えば大当り判別用乱数、大当り図柄用乱数、可変変動用乱数（可変変動カウンタ）、及び演出表示パターン乱数等が含まれている。このうち大当り判定用乱数は、大当りであるか否かを決定するための乱数である。次の大当り図柄用乱数は、大当り判定用乱数によって大当りと判別された場合に使用されるものであり、具体的には、特別図柄表示器３３２によって停止表示される表示パターン（四つのＬＥＤ１１０における点灯状態の組合わせパターン）を特定するための乱数である。そして可変変動用乱数（可変変動カウンタ）は、特別図柄表示器３３２による図柄の変動時間を可変させるための乱数である。また、演出表示パターン乱数は、演出表示装置１１５に表示される演出表示の変動表示パターンを特定するための乱数である。以上の各乱数値が取得され、これらが例えばＲＡＭ３１６に格納されると、保留格納処理を終えて本ルーチンがリターンされる。
【０１６０】
［遊技作動処理について］  図１４に基づき説明する。
図１４は始動入賞に伴う遊技作動処理のルーチンを示している。
この遊技作動処理では、最初に始動保留が有るか否かが判断される（ステップＳ２０１）。具体的には、保留数カウンタの数値が０でない場合、始動保留が有ると判断され（ＹＥＳ）、次に特別図柄表示器３３２における特別図柄（点灯状態）が未変動状態か否かが判断される（ステップＳ２０２）。このとき特別図柄表示器３３２にて未だ変動表示が開始されていなければ（ＹＥＳ）、次に保留シフト処理が実行される（ステップＳ２０３）。
【０１６１】
保留シフト処理では、保留数カウンタの値が「１」だけ減算されるとともに、ＲＡＭ３１６の保留格納領域に記憶されている各乱数値の内容をシフトする処理が行われる。そして、これに続いて特図変動設定処理が実行され（ステップＳ２０４）、ここでは特別図柄の変動時間の設定や、変動停止時の表示パターンが設定される。なお、特図変動設定処理の内容については、さらに別のフローチャート（図１５，図１６）を用いて詳しく後述する。
【０１６２】
特図変動設定処理（ステップＳ２０４）が終了すると、次に情報出力処理（ステップＳ２０５）が実行され、ここでは主制御基板１３１からサブ統合基板３３６に対して制御情報コマンドの生成・送信が行われる。サブ統合基板３３６は、受信した制御情報コマンドに基づいて主制御基板１３１の制御情報（始動入賞・保留の有無、特別図柄の変動・停止表示態様、当り判定結果、確率変動の有無、及び演出画像の変動パターン等）を解釈し、所定の演出動作を制御する。
【０１６３】
図１４の遊技作動処理では、最後に当り判定処理（ステップＳ２０６）が実行される。なお、遊技作動処理の開始時に保留数カウンタの値が０であったり（ステップＳ２０１においてＮＯ）、保留数カウンタの値が０でなくとも特別図柄表示器３３２が変動中であったり（ステップＳ２０２においてＮＯ）した場合は、いずれも保留シフト処理（ステップＳ２０３）、及び特図変動設定処理（ステップＳ２０４）を迂回して情報出力処理（ステップＳ２０５）及び当り判定処理（ステップＳ２０６）が実行される。
【０１６４】
当り判定処理（ステップＳ２０６）では、特別図柄の変動開始時にセットされた当りフラグを参照し、当りフラグがセットされていればさらに別の処理（図１７）を実行する。
【０１６５】
［特図変動設定処理（ステップＳ２０４）の詳細について］  図１５及び図１６に基づき説明する。
図１５は、上記の特図変動設定処理に含まれる特図変動設定処理Ａの内容を示し、図１６は特図変動設定処理Ｂの内容を示している。
この特図変動設定処理Ａでは主に、抽選結果によって特別図柄表示器３３２による変動時間の設定や停止時の表示パターンの選択が行われる。具体的には、既に取得されている大当り判定用乱数に基づいて抽選の結果が判断され（ステップＳ３０１）、当選（大当り）であった場合（ＹＥＳ）は当り時変動設定処理（ステップＳ３０２）が実行される。なお、ここでいう「当選」は、上記（１）通常大当り、または（２）確変大当りのいずれかに該当していることを意味する。
【０１６６】
これに対し、抽選の結果が外れ、つまり、（１）及び（２）のいずれの当りにも該当してないと判断された場合（ＮＯ）、既に取得されている可変変動用乱数（可変変動カウンタ）の値が所定値（例えば１０２４）と比較される（ステップＳ３０３）。可変変動用乱数は例えば０〜６５５３５の範囲内で取得されており、この乱数値が１０２３未満であれば（ＹＥＳ）、可変変動設定処理（ステップＳ３０４）が実行される。逆に、可変変動用乱数の値が１０２４以上であれば（ＮＯ）、ステップＳ３０５またはステップＳ３０６の各判断を経て変動タイマがセットされる。変動タイマは、特別図柄表示器３３２による変動時間を設定するためのタイマであり、具体的には、現在の始動保留数が「０」〜「２」であれば（ステップＳ３０５においてＹＥＳ）、所定の変動タイマが比較的長めの１０秒にセットされる（ステップＳ３０７）。同様に、始動保留数が「３」であれば（ステップＳ３０６においてＹＥＳ）、変動タイマが比較的中程度の８秒にセットされ（ステップＳ３０８）、そして始動保留数が「４」であれば（ステップＳ３０６においてＮＯ）、変動タイマが比較的短めの６秒にセットされる（ステップＳ３０９）（いわゆる保留時短）。いずれにしても、変動タイマがセットされると、続いて特別図柄の停止パターンが選択される（ステップＳ３１０〜Ｓ３１２）。停止パターンは、四つのＬＥＤ１１０における点灯状態の組合わせを、いずれの当り態様にも該当しないパターンの中から適宜選択する。
【０１６７】
以上の特図変動設定処理Ａをまとめると、抽選結果がいずれかの当りに該当している場合は、別の当り時変動設定処理（ステップＳ３０２）が実行された後に特別図柄の変動表示が開始される（ステップＳ３１３）。一方、抽選結果がいずれの当りにも該当しない（外れ）場合は、取得済みの可変変動用乱数（可変変動カウンタ）の値によって６４分の１の振り分け率で別の可変変動設定処理（ステップＳ３０４）が実行されるが、それ以外（６４分の６３）の場合は始動保留数に応じて変動タイマの時間が３段階に設定された後に特別図柄の変動表示（ステップＳ３１３）が開始されることとなる。
【０１６８】
ここで、ステップＳ３０４の可変変動設定処理は、「外れリーチ変動」の考え方に基づくものである。すなわち、基本的に抽選で外れた場合は特別図柄の変動時間が始動保留数に応じて次第に短縮されるが（ステップＳ３０７〜Ｓ３０９）、外れの場合であっても、ときには始動保留数に関係なく変動時間を長短に変更したり、特別図柄の停止パターンを変更したりすることで、あからさまに外れ変動であることを遊技者に気付かせにくくするものである。なお、この「外れ」を通常の「外れ」と区別するため、「特殊外れ」と称している。この可変変動設定処理では、例えば以下の表１で表されるテーブルによって変動時間が６通りに振り分けられている。
【０１６９】
【表１】
2006116022.tif 000003
【０１７０】
一方、ステップＳ３０２の当り時変動設定処理は、０〜６５５３５までの可変変動用乱数（可変変動カウンタ）の値を用いて、例えば以下の表２で表されるテーブルによって変動時間が６通りに振り分けられる。この当り特変動設定処理が実行されると、内部的な当りフラグに「１」がセットされて、本ルーチンがリターンされる。
【０１７１】
【表２】
2006116022.tif 000004
【０１７２】
図１６は上記の特図変動設定処理（図１４中のステップＳ２０４）に含まれる特図変動実行処理Ｂの内容を示している。先の特図変動設定処理Ａによって特別図柄の変動が開始されると、ここでは変動期間中であるか否かが判断される（ステップＳ４０１）。具体的には、変動期間中であるか否かは上記の変動タイマを参照することで判断可能であり、変動タイマが作動していると、それによって変動期間中である（ＹＥＳ）と判断され、逆に変動タイマが停止していれば、変動期間中でない（ＮＯ）と判断される。
【０１７３】
ステップＳ４０１で特別図柄の変動期間中であると判断されると、次に変動表示制御処理（ステップＳ４０２）が実行される。ここでは、特別図柄表示器３３２を構成する４つのＬＥＤ１１０について、例えば０〜１５のカウンタ値を取得しながらこれらを８ビットの値に割り当て、この値を用いて合計４つのスイッチ（ＬＥＤ４個分）のＯＮ／ＯＦＦを４０ｍｓ毎に切り替える処理が行われる。これにより、４つのＬＥＤ１１０が点滅しながら特別図柄表示器３３２による高速変動が実現される。なお、ここではカウンタ値を参照してＬＥＤ１１０の点灯・消灯を制御しているが、例えば所定の変動パターンテーブルを用いてＬＥＤ１１０の点灯・消灯パターンを切り替えることもできる。
【０１７４】
この後、変動タイマがカウントアップして変動期間が終了すると、特別図柄の変動期間中ではない（ＮＯ）と判断されて、次に停止パターン表示制御（ステップＳ４０３）が実行される。この停止パターン表示制御では、先の特図変動設定処理Ａ（図１５）等で既に選択されている停止パターンの点灯・消灯表示パターンデータが特別図柄表示器３３２に送信される。なお、パターンデータの送信は毎回の割込周期（例えば４ｍｓ）で行う必要はなく、適宜サンプリングすることでＬＥＤ１１０の発光輝度を調整することが好ましい。
【０１７５】
［大当り処理について］  図１７に基づき説明する。
図１７は大当り処理の内容を示している。
内部的に条件装置が作動して大当り処理が実行されると、先ず所定のラウンドカウンタが初期化される（ステップＳ５０１）。このラウンドカウンタは例えばＲＡＭ内に確保されており、この初期化に伴ってラウンドカウンタの値はリセットされる。なお、ラウンドカウンタは大当り遊技中のラウンド数をカウントするためのものであり、その値が設定最大回数に達すると大当り処理が終了となる。
【０１７６】
上記のラウンドカウンタが初期化された後、所定の入賞球数カウンタに「０」がセットされ（ステップＳ５０２）、続いて大入賞口（アタッカ装置９８）が開放される（ステップＳ５０３）。そして、次のステップＳ５０４では大入賞口の開放期間が設定最大期間（例えば３０秒）内であるか否かが判断される。開放期間が設定最大期間内であれば（ＹＥＳ）、次に入賞球カウンタの値が１０未満であるか否かが判断される（ステップＳ５０５）。このとき入賞球カウンタの値が１０に満たなければ（ＹＥＳ）、大入賞口に対応するカウントセンサの検出信号がＯＮになったか否かが判断される（ステップＳ５０６）。大入賞口への入賞によりカウントセンサがＯＮになると（ＹＥＳ）、次のステップＳ５０７で入賞球数カウンタに「１」が加算され、再度ステップＳ５０４の判断が行われる。あるいは、ステップＳ５０６で大入賞口への入賞がなく、カウントセンサがＯＮになっていなければ（ＮＯ）、入賞球数カウンタが加算されることなくステップＳ５０４の判断が行われる。
【０１７７】
「通常大当り」または「確変大当り」の場合、通常は設定最大期間である３０秒が経過するか、あるいは入賞球が１０カウントに達するかのいずれかの条件が満たされると１ラウンドが終了となる。これら２つの条件のいずれかが満たされると、ステップＳ５０４またはステップＳ５０５の判断が否定（ＮＯ）されるので、ラウンド終了のために大入賞口が閉止（ステップＳ５０８）される。そして、次のステップＳ５０９でラウンドカウンタの値が設定最大継続回数（例えば１５ラウンド）に達したか否かが判断される。
【０１７８】
ラウンドカウンタの値が設定最大継続回数（１５ラウンド）に達していなければ（ステップＳ５０９においてＮＯ）、次にラウンドカウンタの値に「１」が加算（ステップＳ５１０）されて入賞球数カウンタが「０」にリセットされる（ステップＳ５０２）。
【０１７９】
上記の処理は「通常大当り」または「確変大当り」中における１ラウンド目の処理に相当する内容である。この後、ラウンド動作が繰り返されてラウンドカウンタの値が設定最大継続回数（１５ラウンド）に達したと判断されると（ステップＳ５０９においてＹＥＳ）、そこで大当り処理は終了となる。
【０１８０】
［演出表示装置における演出表示の詳細について］  図１８〜図３３に基づき説明する。
図１８は、サブ統合基板３３６における制御処理の内容を示しており、図１９は、電飾制御基板３３８における制御処理の内容を示している。また、図２０は演出表示制御における機能的な構成を示している。また、図２１乃至図３２は具体的な演出例を示している。更に、図３３は特別演出シーンの処理内容を示している。
【０１８１】
ところで、これまで説明してきた処理は、純粋に主制御基板１３１による遊技動作の制御に関するものであるが、サブ統合基板３３６は主制御基板１３１から制御情報コマンドを受け取ると、これに基づいて各種の演出処理を実行することができるようになっている。
【０１８２】
詳細に説明すると、前述したように主制御基板１３１では、保留格納処理（Ｓ１０３）において、大当り判別用乱数、大当り図柄用乱数、可変変動用乱数、及び演出表示パターン乱数等が取得され、これらの乱数を基に、大当りの有無に関する情報（当否コマンド）、大当たりの場合に「通常大当り」または「確変大当り」のいずれであるかを示す情報（確変・非確変コマンド）、及び演出表示パターンの種類に関する情報、すなわち特別図柄の変動時間に関する情報（変動表示パターンコマンド）が、変動開始コマンドとして設定され、主制御基板１３１からサブ統合基板３３６に送信される（Ｓ２０５）。
【０１８３】
そして、サブ統合基板３３６では、図１８に示すように、主制御基板１３１から変動開始コマンドを受け取ると（ステップＳ６０１においてＹＥＳ）、受け取ったこれらの変動開始コマンドを基に、演出表示装置１１５における変動態様を設定する（ステップＳ６０２）。具体的には、変動表示パターンコマンドに対応した変動表示パターンを設定するとともに、当否コマンド及び確変・非確変コマンドに基づいて装飾図柄列における最終停止図柄を決定する。例えば、「確変大当り」の場合には、確変大当りに相当する複数の装飾図柄の中から一つの図柄を最終停止図柄として決定する。また、サブ統合基板３３６は、乱数発生手段（図示しない）を有しており、乱数を取得するとともに、取得された乱数に応じて大当たり予告の演出態様（例えば出現時期や出現順序が不規則な所定のハプニング演出パターン）を付加する。さらに、サブ統合基板３３６では、決定されたこれらの変動態様を、電飾制御基板３３７、３３８及び波形制御基板３３９に対する変動開始コマンドとして設定する（ステップＳ６０３）。具体的には、変動表示パターンコマンド、最終停止図柄コマンド、及びハプニング演出パターンコマンド等を設定する。そして、設定されたこれらの変動開始コマンドを、各制御基板３３７，３３８，３３９に送信する（ステップＳ６０４）。これにより、これらの制御基板３３７，３３８，３３９では、抽選結果に応じた演出表示を行ったり、その演出表示に合せて音声等を発生させることが可能になる。
【０１８４】
特に、電飾制御基板３３８では、図１９に示すように、サブ統合基板３３６から変動開始コマンドを受け取ると（ステップＳ７０１においてＹＥＳ）、その変動開始コマンドを基に、演出表示装置１１５における変動態様を設定（ステップＳ７０２）し、その後、演出表示装置１１５を制御する（ステップＳ７０３）。具体的には、変動表示パターンコマンドに対応した変動表示パターンを設定するとともに、最終停止図柄コマンドに基づいて、装飾図柄列の最終停止図柄を設定する。また、ハプニング演出パターンコマンドに対応したハプニング演出を決定するとともに、より具体的な演出態様を付加する。つまり、電飾制御基板３３８は、乱数発生手段（図示しない）を有しており、演出表示装置１１５における夫々の変動パターンに対して、より具体的な演出態様を付加することを可能にしている。詳細には、電飾制御基板３３８におけるＲＯＭ３７１には、変動パターンの種類と、それぞれの変動パターンに対して選択可能（出現可能）な出現体（物体やキャラクタ）とが関連付けて記憶されており、例えば、「○○リーチ系」という変動パターンが主制御基板１３１において決定された場合には、「○○リーチ系」に対応する複数種類の出現体の中から一つまたは複数の出現体を選択し、一連の変動パターンの演出表示中に、選択した出現体を出現させることを可能にしている。このように、本例では、出現体を含む変動パターンの選択処理が、主制御基板１３１、サブ統合基板１１１、及び電飾制御基板３３８において分担されており、これにより、主制御基板１３１及びサブ統合基板１１１における処理の負担を軽減するとともに、変動パターンの複雑化、ひいては演出の興趣を向上させている。
なお、図１８及び図１９に示すフローチャートでは、サブ統合基板３３６及び電飾制御基板３３８におけるコマンド受信処理のうち、特に演出の制御に関する変動開始コマンドの受信処理のみを説明している。すなわち、ここでは、電源投入時のコマンドや異常時のコマンドは省略している。
【０１８５】
ところで、本例の演出表示装置１１５に表示される演出画像には、周期性をもって変動表示される装飾図柄と、装飾図柄の変動中、所定のタイミングで出現可能な複数の出現体（キャラクタ等）とが含まれている。以下、装飾図柄及び出現体について詳細に説明する。
【０１８６】
（装飾図柄について）
本例では、装飾図柄として、例えば、上・中・下の３つの装飾図柄列が設定されており、装飾図柄列毎に左装飾図柄、中装飾図柄、及び右装飾図柄が変動表示されるようになっている。一連の装飾図柄は、「０」〜「９」の数字を各々付した主装飾図柄と、絵図柄からなる副装飾図柄とにより構成されており、数字の昇順又は降順に主装飾図柄が表示されると共に各主装飾図柄の間に副装飾図柄が配されて一連の装飾図柄列が構成されている。そして、主装飾図柄と副装飾図柄とが周期性を持って右から左へと変動表示されるようになっており、上装飾図柄列→下装飾図柄列→中装飾図柄列の順に変動表示が停止し、その停止時に何れかの有効ライン上で主装飾図柄が大当り装飾図柄の組合せ（例えば「７」，「７」，「７」）で揃えば大当りとして特別遊技動画が表示されるようになっている。
【０１８７】
なお、本例では、演出表示装置１１５における装飾図柄列の変動開始時期を、特別図柄の変動開始後とし、装飾図柄列の変動停止を特別図柄の変動停止前としている。これにより、特別図柄の変動表示の開始時と停止時には、演出表示装置１１５での演出表示を行わないことで、特別図柄の変動表示に対して演出表示装置１１５での紛らわしい表示を行うことを防止するとともに、演出表示装置１１５の演出中に当りか否かを認識させること、すなわち演出の効果を損なうことを防止している。
【０１８８】
（出現体について）
キャラクタ等からなる出現体は、抽選結果に対する予告として表示されるものであり、夫々、大当りの信頼度に対応付けられている。この出現体を装飾図柄の変動中に登場（出現）させることにより遊技者の期待感にメリハリをつけることが可能となる。本例では複数のキャラクタが用意されており、夫々のキャラクタにおける大当たりの信頼度と、遊技中に夫々のキャラクタが出現する頻度との関係が予めテーブルで設定されている。
なお、大当りの信頼度とは、外れ時の演出として選択される確率が異なっている複数の演出がある場合、その選択率の異なりによって発生するものである。例えば、選択率が低い演出ほど大当りに対する信頼度が高くなり、期待値が高くなる。
【０１８９】
次に、装飾図柄及び出現体の演出表示制御における機能的な構成、すなわち演出プログラムとして実現される機能的な構成と、それらの構成が用いられた具体的な演出例とについて説明する。図２０に示すように、主基板３１０には、始動口センサ３１８（本発明の遊技状態検出手段に相当）によって入球装置９６への入賞が検出されたとき、抽選手段として乱数を発生する乱数発生手段４３４と、特別図柄表示器３３２における特別図柄を変動させるとともに、乱数発生手段４３４によって発生した乱数、すなわち抽選結果に基づいて特別図柄の変動を停止させる特別図柄変動制御手段４３５と、乱数発生手段４３４によって発生した乱数が所定値である場合、大当りとして遊技者に有利な有利遊技状態（図１７の大当り処理）を発生させる有利遊技状態発生手段４３６と、乱数発生手段４３４によって発生した乱数、すなわち抽選結果を制御情報コマンドとしてサブ統合基板３３６へ送信するコマンド送信手段４３７とが備えられている。
【０１９０】
一方、周辺基板３１１には、主基板３１０からサブ統合基板３３６を介して送信された制御情報コマンドがコマンド受信手段４１１によって受信されると、これを基に演出表示装置１１５を制御する演出表示制御手段４１３が設けられている。
【０１９１】
また、周辺基板３１１には、前面枠４に設けられた操作手段としてのボタン６０（図２参照）の操作を検出する操作検出手段４４１と、操作検出手段４１１の検出結果に基づいてボタン６０の操作状況を判断する操作状況判断手段４４２とを備えている。なお、これらコマンド受信手段４１１、演出表示制御手段４１３、操作検出手段４４１、操作状況判断手段４４２、などを電飾制御基板３３８に備えても良い。
【０１９２】
演出表示制御手段４１３は、演出表示装置１１５において複数の装飾図柄列を変動させるとともに、装飾図柄列の変動中、演出表示装置１１５に出現体であるキャラクタ及び背景を所定のタイミングで出現させるものである。なお、上記の変動表示パターンや、ハプニング演出パターン等は、夫々複数のパターンを有しており、これら各パターンは夫々複数のカットから構成されている。このカットは、比較的短時間での装飾図柄、キャラクタ、及び背景を用いて所定の演出動作をさせたもので、このカットを表示するためのカットコマンドが、予め記憶手段としてのＲＯＭ３７１に複数記憶されている。そして、本発明の演出シーンは、変動表示パターンや、ハプニング演出パターン等の組合せにより構成されたものである。また、本発明の演出表示態様は、少なくとも一つの演出シーンから構成され、上記した複数の演出シーンを用いて、予め設定された所定数且つ所定順序で演出シーンを表示するようにしたものであり、この演出表示態様もまた予め複数の態様がＲＯＭ３７１に記憶されている。
【０１９３】
演出表示制御手段４１３は、コマンド受信手段４１１により受信された制御コマンドにより、ＲＯＭ３７１から所定の順序でカットコマンドを読み出して一連の演出シーンとして表示させる演出シーン制御手段４１７と、表示中の演出シーンの途中から異なる演出シーンに変更させる演出シーン変更手段４１８とを具備しており、この演出シーン制御手段４１７には、装飾図柄を動的に表示させる図柄制御手段４１４と、キャラクタを動的に表示させるキャラクタ制御手段４１５と、背景を動的に表示させる背景制御手段４１６とが備えられている。なお、本例では、遊技機全体に所定のストーリー性が設定されており、そのストーリーに対応してキャラクタには重要度に応じた分類がなされ、重要度の最も高い主キャラクタ、主キャラクタに次ぐ重要度の副キャラクタ、副キャラクタよりも重要度の低い脇キャラクタ、等に分けられている。
【０１９４】
また、演出表示制御手段４１３には、操作状況判断手段４４２の判断に基づいて特別演出シーンにおける演出内容を選択する演出内容選択手段４４３と、演出内容選択手段４４３による演出内容の選択を繰返し実行させる繰返し手段４４４と、特別演出シーンの表示に基づいてボタン６０の操作を案内する案内手段４４５と、ボタン６０の操作が有効とされてから特別演出シーンの表示内容が所定条件を満たすまでの時間を計測する時間計測手段４４６と、時間計測手段４４６による計測時間が記憶されたＲＡＭ（記憶手段）３７４から上位三つの計測時間を抽出する計測時間抽出手段４４７とを備えている。
【０１９５】
演出シーン制御手段４１７には、図柄制御手段４１４、キャラクタ制御手段４１５及び背景制御手段４１６を制御して、遊技状態に応じた内容の演出シーンを表示するための第一演出シーン制御手段４１９が備えられている。この第一演出シーン制御手段４１９により表示される第一演出シーンは、複数の装飾図柄からなる図柄列を上下方向に三列表示させた上で、夫々の図柄列を変動表示すると共に順次停止表示するような演出をおこなうものである。また、第一演出シーン制御手段には、変動表示中の図柄列を消去する図柄列消去手段４２０と、消去された図柄列を再度表示させる図柄列再表示手段４２１とが備えられている。
【０１９６】
また、演出シーン制御手段４１７には、第一演出シーン制御手段４１９により、第一演出シーンが所定の条件を満たすように一区切りすると（本例では、リーチの状態）、第一演出シーンに続いて表示される第二演出シーン（所謂、「発展形態」）を制御する第二演出シーン制御手段４２２を備えている。この第二演出シーン制御手段４２２により表示される第二演出シーンは、第一演出シーンとは異なる背景が用いせれると共に、一つの図柄列を変動表示すると共にキャラクタに所定の動的表示をさせ、所定の装飾図柄で停止表示する演出内容のものである。ところで、第一演出シーンと第二演出シーンとの繋がりが唐突であると、遊技者に対して違和感を与えてしまい、興趣を低下させてしまう恐れがあり、第二演出シーンが違和感無く繋がるように、第二演出シーンの初めに種々の冒頭部を表示するようにしており、それらの表示を制御するために、この第二演出シーン制御手段４２２には、その冒頭部を表示制御する冒頭部制御手段４２３が備えられている。
【０１９７】
また、演出シーン制御手段４１７には、第二演出シーンに引き続き表示される第三演出シーンを表示制御するための第三演出シーン制御手段４２４と、主キャラクタを用いて大当たりとなる期待度が極めて高いことを示唆すると共に、ボタン６０の操作に応じて表示内容が制御される特別演出シーンを表示制御するための特別演出シーン制御手段４２５とを備えている。この特別演出シーン制御手段４２５には、特別演出シーンの終局部分を表示するための終局カット表示手段４４８を備えている。
【０１９８】
本例の演出シーン制御手段４１７は、コマンド受信手段４１１によって受信されたコマンドの内容に応じて演出表示制御手段４１３により表示が指示された所定の演出表示態様に含まれる演出シーンを表示可能とされたものである。この演出シーンは、予め複数用意されており、大別すると、複数の図柄列を変動表示すると共に順次停止表示する第一演出シーン、第一演出シーンに続いて表示され一つの図柄列を変動表示すると共にキャラクタに所定の動作表示をさせ所定の装飾図柄で停止表示する第二演出シーン、第二演出シーンに更に続いて表示される第三演出シーン、第三演出シーンに続いて更に表示される第四演出シーン、ボタン６０の操作に応じて表示内容が制御可能とされた特別演出シーン、に夫々分類することができる。なお、第二演出シーン以降の演出シーンを「発展形態」とも称す。
【０１９９】
この演出表示態様は、その選択される表示パターンが、当否コマンドに基づいた変動タイマの時間に応じて設定されるようになっており、具体的には、例えば以下の表３及び表４で表されるテーブルによって振り分けられ、それらの表に示すように、当否コマンドがハズレ時と当り時とでは、異なるテーブルが用いられる。そして、演出表示態様における特別演出シーンの表示を指示するコマンドとしては、例えば、主基板３１０からの変動表示パターンコマンドにおいて、変動タイマが３３０００ｍｓ以上となるコマンドが送信された場合に、特別演出シーンを指示するコマンドが選択される確率が高くなるように設定されている。なお、表４中、変動タイマが６００００ｍｓ（備考欄にプレミアリーチと表記された行）のものが選択された場合は、上記の演出表示形態とは異なる表示形態のプレミア演出（特別演出シーンを含む）を表示するものである。なお、表３及び表４中に「●」で示しているのは、何れかの演出シーンの表示途中で特別演出シーンに変更されることを示している。
【０２００】
【表３】
2006116022.tif 000005
【０２０１】
【表４】
2006116022.tif 000006
【０２０２】
続いて、本例における演出表示制御手段４１３により表示制御される種々の演出シーンの演出を具体的な例を基に説明する。まず、コマンド受信手段４１１により所定のコマンドが受信されると、初めに、演出表示制御手段４１３の第一演出シーン制御手段４１９により、演出表示装置１１５に第一演出シーンの表示が開始される。
【０２０３】
第一演出シーンは、様々なパターンの演出シーンを有しており、この第一演出シーンにおける演出の一例を具体的に図２１乃至図２４を基に説明する。まず、図２１に示すように、円板状の部材の中に数字（１〜９の数字）が嵌め込まれ更にそれらが八角形の枠体の中に組み込まれたようなデザインの装飾図柄Ｓが表示され、昇順又は降順で一列に並ぶ複数の装飾図柄Ｓの間には、それらの各装飾図柄Ｓを押すように複数の種類のキャラクタ（主キャラクタＣ１（学生服を着た少年）、副キャラクタＣ２（スーツを着た出っ歯の男性）など）が表示される。なお、図２１は、上列の図柄列及び下列の図柄列が停止し、中列の図柄列が変動中である表示状態を示している。なお、この場合、既に停止している図柄列の組合せが、特別の組合わせ（「７」，「７」の組合せ）を充足していることから、この後、演出表示装置１１５には、「リーチ」と大きく表示され、リーチ状態であることが報知される。
【０２０４】
ところで、この第一演出シーンには、各図柄列が変動を開始してから所定時間後に、図柄列消去手段４２０により、少なくとも一つの図柄列が消去されるパターンがある。この図柄列の消去により遊技者に対して、これから何かが始まることを示唆することができ、演出シーンに注目させることが可能となる。そして、図柄列が消去された所に、ハプニング演出パターンコマンドにより、指示されたキャラクタが登場するようになっている。なお、ハプニング演出によって登場するキャラクタは、大当たりとなる信頼度と関連付けられており、如何なるキャラクタが登場するかと言う期待感を与えることができると共に、期待度の高いキャラクタが登場することで期待感を高めることができるものである。
【０２０５】
この第一演出シーンは、図柄列の消去、キャラクタの登場、図柄列の再表示、二つの図柄列が特別の組合わせを充足して停止（リーチ状態）、等のタイミングがパターンによって異なっており、種々の演出表示が可能とされている。
【０２０６】
ところで、演出表示制御手段４１３には、演出シーン変更手段４１８が備えられており、受信したコマンドの内容により、第一演出シーンの途中で後述の特別演出シーンに変更することを可能としている。以下、第一演出シーンにおいて、変更の契機となる演出場面の例を具体的に説明する。図２２（ａ）に示すように、図柄列消去手段４１４により変動中の全ての図柄列を消去し、続いて、キャラクタ制御手段４１５により複数の主キャラクタＣ１が表示領域の右側から走ってくるように移動表示して（同図（ｂ）参照）、全部の主キャラクタＣ１が停止すると、演出シーン変更手段４１８により特別演出シーンに変更するものである。つまり、上記のような動作表示を指示するカットコマンドが実行されると、特別演出シーンに変更するものである。これにより、図柄列を消去して注目させたところで、主キャラクタＣ１のみを登場させることで、期待感を一気に高めることが可能となる。
【０２０７】
また、図２３（ａ）に示すように、図柄列消去手段４１４により、中列の図柄列を消去した後、キャラクタ制御手段４１５により複数の主キャラクタＣ１が表示領域の右側から走ってくるように移動表示し（同図（ｂ）参照）、全部の主キャラクタＣ１が停止すると同時に、上列の図柄列が停止し、続いて下列の図柄列がリーチ状態となるように停止すると、演出シーン変更手段４１８により特別演出シーンに変更するものである。これにより、まず、複数のキャラクタが移動表示されている時に、主キャラクタＣ１のみが移動停止するか否かの期待感が高められ、主キャラクタＣ１が移動停止することで、更に期待感を高めることが可能となる上に、図柄列がリーチ状態で停止することで、大当たりの期待感を確信に変化させることが可能となり、興趣に富んだものとすることができる。なお、図柄列の消去の際に、キャラクタ制御手段４１５と図柄列消去手段４１４とを協働させて主キャラクタＣ１を含む複数のキャラクタにより、図柄列を消去するようにしても良い。
【０２０８】
また、図２４（ａ）に示すように、上列と下列の図柄列がリーチ状態で停止し、変動している中列の図柄列をキャラクタ制御手段４１５と図柄列消去手段４１４とが協働して主キャラクタＣ１を含む複数のキャラクタの移動表示により消去し、移動しているキャラクタのうち主キャラクタＣ１のみが移動停止すると（同図（ｄ）参照）、演出シーン変更手段４１８により特別演出シーンに変更するものである。これにより、まず、リーチ状態となることで、期待感を高めることができ、そして、複数のキャラクタが移動表示されている時に、主キャラクタＣ１のみが移動停止するか否かの興趣が高められ、主キャラクタＣ１が移動停止することで、大当たりの期待感を確信に変化させることが可能となる。
【０２０９】
更に、図示は省略するが、停止した全ての図柄列の組合わせが、特定の組合わせ（例えば、「お」，「そ」，「松」の組合わせ）を充足するように停止すると、演出シーン変更手段４１８により特別演出シーンに変更するようにしても良い。この場面では、例えば、先に上列と下列で、「お」と「松」が停止しても、リーチ状態とは異なるため「リーチ」とは報知されず、リーチ状態とは異なる期待感を付与することができ、その状態で特別演出シーンに変更するので、興趣を高めた演出表示とすることができる。
【０２１０】
本例のパチンコ機１では、演出表示制御手段４１３に第二演出シーン制御手段４２２を備えており、第一演出シーンが、所定の組合わせ（例えばリーチ状態）となった時に、場面を変えて単に図柄列の変動が停止するだけのような演出とは異なる演出の第二演出シーンが表示可能とされており、この第二演出シーンも第一演出シーンと同様に様々なパターンが予め用意されている。図２５は、この第二演出シーンの一例を示すもので、第一演出シーンでリーチ状態となった後に、背景が遠近感のある路地となり、その略中央に所定のキャラクタとして脇キャラクタ（バケツ）Ｃ３と、その左側後ろに副キャラクタＣ４（縦縞模様のパンツを履いた男性）が表示され（図２５（ａ）参照）、その右側から装飾図柄ＳがバケツＣ３に当たると、バケツの中から主キャラクタＣ１が手前側に倒れこんだ状態で表示されると共に、主キャラクタＣ１の後ろ側には、装飾図柄Ｓと枠体を持った副キャラクタＣ２（スーツを着た出っ歯の男性）とが表示される（図２５（ｂ）参照）。その後、装飾図柄Ｓと副キャラクタＣ６が左側へ移動しようとする動作をすると共に、装飾図柄Ｓと副キャラクタＣ２が表示領域内に入るように、背景と主キャラクタＣ１が右側の表示領域外へ移動する（図２５（ｃ）参照）。
【０２１１】
その後、前方（遊技者側）に向かって逃げ回る装飾図柄Ｓとその後方から装飾図柄Ｓを追いかける副キャラクタＣ２とが表示される。つまり、副キャラクタＣ２の前側に装飾図柄Ｓを表示させた状態で、背景を漸次変化させることにより、装飾図柄Ｓと副キャラクタＣ２とが前方に向かって動作しているように見せる演出である。なお、背景としては、住宅や壁等の構造物、木や山等の風景、及び工事現場の用具やバケツ等が表示される。なお、演出表示装置１１５における左右の上端隅部には、既に停止している上図柄列及び下図柄列の停止装飾図柄ＴＳが表示される。
【０２１２】
その後、装飾図柄Ｓが副キャラクタＣ２によって捕捉され、装飾図柄Ｓと副キャラクタＣ２との相対位置が変更された演出表示、すなわち副キャラクタＣ２が装飾図柄Ｓの前側に位置する演出表示がなされる。続いて、装飾図柄Ｓが枠体から逃げ出す演出が行われ、さらに、装飾図柄Ｓの数字が変更される演出が行われる。そして、再び、前方に向かって逃げ回る装飾図柄Ｓと、その後方から装飾図柄Ｓを追いかける副キャラクタＣ２との演出が行われ、さらに装飾図柄Ｓが捕捉される演出が行われる。つまり、装飾図柄Ｓの数字が変更されると、副キャラクタＣ２が追いかけて補足する演出が、繰り返し行われる。
【０２１３】
そして、表示制御コマンドによって、所定回数繰り返された後に、最終停止図柄を副キャラクタＣ２が捕捉し、その装飾図柄Ｓの前側に位置する演出表示が行われる。この状態で、例えば、数字の「７」を捕捉していれば、最終停止図柄が数字の「７」であることを意味しており、ここでは最終停止図柄が、リーチ図柄と同じ絵柄であることから、抽選結果が大当りとなったこと、すなわち有利遊技状態が発生することが示唆される。
【０２１４】
この第二演出シーンでも、演出シーン変更手段４１８により、受信した制御情報コマンドの内容に応じて特別演出シーンへ変更可能とされており、第二演出シーンでは、特に、冒頭部制御手段により演出表示される第二演出シーンの冒頭部において変更可能とされている。この第二演出シーンの冒頭部は、第一演出シーンと違和感無く繋がるように、キャラクタ等を演出表示するもので、以下、第二演出シーンの冒頭部において、変更の契機となる演出場面の例を具体的に説明する。
【０２１５】
上記図２５（ａ）〜（ｃ）に示した第二演出シーンの冒頭部において、同図（ｂ）の状態から、背景と主キャラクタＣ１が右側の表示領域外へ移動する代わりに、同図（ｄ）に示すように、装飾図柄Ｓと副キャラクタＣ６が左側の表示領域外へ移動して主キャラクタＣ１のみが表示領域内に残ると、特別演出シーンに変更される。なお、本例では、特別演出シーンへの変更に先立って、主キャラクタＣ１が立ち上がる動作表示が行われる。これにより、第二演出シーンの冒頭部で、主キャラクタと、その後ろに装飾図柄と他のキャラクタが表示されると、何れのキャラクタの方にカメラワークされるのかと言う期待感が高められ、興趣に富んだものとすることが可能となる。
【０２１６】
図２６は、図２５に示したものとは異なる第二演出シーンの冒頭部を示すもので、同図（ａ）に示すように、停止装飾図柄ＴＳが表示領域の四隅に表示されており、ダブルリーチの状態となっていることを示唆している。この冒頭部では、図示するように、初めに主キャラクタＣ１と複数の装飾図柄Ｓとを脇キャラクタ（シーソー）Ｃ５の一方の端（手前の端）に位置するように表示すると共に、表示領域の隅（ここでは、右側）に副キャラクタＣ２，Ｃ６（頭の禿た子供）が表示される。その後、シーソーＣ５の他方の端（奥の端）に副キャラクタＣ２，Ｃ６を落下させることで、手前の端の主キャラクタＣ１と装飾図柄Ｓを上側に飛ばし、その後、同図（ｂ）に示すように、複数の主キャラクタＣ１がシーソーＣ５の手前の端に落下することで、奥の端の副キャラクタＣ２，Ｃ６が上側に飛ぶと、特別演出シーンに変更する。ところで、この冒頭部において、主キャラクタＣ１に代えて、装飾図柄Ｓの一つがシーソーＣ５の手前の端に落下することで、奥の端の副キャラクタＣ２，Ｃ６が上側に飛ぶと、引き続き第二演出シーンが表示される。これにより、シーソーＣ５の手前の端の主キャラクタＣ１が消えた後で、主キャラクタＣ１又は装飾図柄Ｓの何れが表示されるかと言う期待感が高められ、主キャラクタＣ１が表示されることで、更に期待感を高めることが可能である。
【０２１７】
また、図２７に示す例は、上記の例とは異なる第二演出シーンの冒頭部を示すものである。この冒頭部は、第一演出シーンでハズレリーチの状態となった後に、その画面が地震が起きたように振動して場面が切り替わり、同図（ａ）に示すように、表示領域においてその左側が高く右側が低くなっている滑り台の頂上にキャラクタとして副キャラクタＣ４が表示される。続いて、その副キャラクタＣ４に向かって複数の装飾図柄Ｓが右側から移動して順次、副キャラクタＣ４に衝突すると共に、複数の装飾図柄Ｓに混じって主キャラクタＣ１が副キャラクタＣ４に衝突して（同図（ｂ）参照）、副キャラクタＣ４が表示領域外へ跳ね飛ばされて消え、代わりに主キャラクタＣ１が滑り台の頂上に残ると、特別演出シーンに変更される。ところで、この冒頭部において、主キャラクタＣ１と副キャラクタＣ４が衝突した際に、主キャラクタＣ１が表示領域外へ跳ね飛ばされると、引き続き第二演出シーンが表示される。これにより、上記とは異なる演出ながら、何れのキャラクタが残るのかと言う期待感が高められ、興趣に富んだものとすることができる。
【０２１８】
また、図２８に示す例は、上記の例とは更に異なる第二演出シーンの冒頭部を示すもので、同図（ａ）に示すように、まず、表示領域の略中央に配置された脇キャラクタとしての大砲Ｃ７と、主キャラクタＣ１と副キャラクタＣ６とが表示され、各キャラクタＣ１，Ｃ６が大砲Ｃ７の周りを回るように移動表示する。そして、それらキャラクタＣ１，Ｃ６が、略同時に大砲Ｃ７の砲身内（所定領域内）に入ろうとし、主キャラクタＣ１が砲身内に入ると、特別演出シーンに変更される。なお、この例では、特別演出シーンへの変更に先立って、大砲Ｃ７の砲身内に入れなかった副キャラクタＣ６が大砲Ｃ７に火を着けて、主キャラクタＣ１を大砲Ｃ７から打ち出す表示が行われる。ところで、この冒頭部において、主キャラクタＣ１の代わりに、大砲Ｃ７の砲身内に副キャラクタが入ると、主キャラクタＣ１が火を着けて、副キャラクタＣ７が大砲から打ち出されて、引き続き第二演出シーンが表示される。これにより、何れのキャラクタが砲身内に入るかと言う期待感を高めることが可能となる。
【０２１９】
このパチンコ機１では、演出表示制御手段４１３に第三演出シーン制御手段４２４を更に備えており、受信した制御情報コマンドの内容により、第二演出シーンから更に発展する第三演出シーンを表示可能としており、この第三演出シーンも、様々なパターンが予め用意されており、最終停止図柄が確定するまで、種々の演出表示を行って、興趣を高められるようになっている。
【０２２０】
特別演出シーンは、大当たりすなわち、有利遊技状態が発生する期待度が最も高いことを示唆するものであり、特別演出シーン制御手段４２５により演出表示されるものである。この特別演出シーンは、本例では、第一特別演出シーンと、第一特別演出シーンに続いて表示される第二特別演出シーンとを有している。
【０２２１】
図２９は第一特別演出シーンの一部分を示すもので、図示するように、演出表示装置１１５の表示領域における左右の上端隅部に、同じ図柄の停止装飾図柄ＴＳを表示して、リーチの状態であることを示唆した状態で、複数の主キャラクタＣ１が表示されると共に、センター役物９１に備えられたキャラクタ体９２（図３参照）が回転を開始する。このキャラクタ体９２は、主キャラクタＣ１の「顔」が表示された面と、漢字の「寿」が表示された面とを有しており、何れかの面でキャラクタ体９２の回転が停止すると、そのキャラクタ体９２の表示された図柄が演出表示装置１１５に表示される。例えば、キャラクタ体９２が「寿」で停止すると、図２９（ａ）に示すように、演出表示装置１１５には、「寿」の図柄Ｓ１が表示される。その後、同じ図柄（ここでは、数字の「７」）の装飾図柄Ｓが三つ並んで表示されることで、大当たりであることが示唆される。
【０２２２】
一方、キャラクタ体９２が、主キャラクタＣ１の「顔」で停止すると、図２９（ｂ）に示すように、演出表示装置１１５には、主キャラクタＣ１の「顔」の図柄Ｓ２が表示される。その後、第二特別演出シーンの表示が開始される。この第二特別演出シーンは、図２４に示すように、複数の主キャラクタ（六つ子）Ｃ１側と複数の副キャラクタ側とが、綱引きを行うような演出表示を行うものである。この第二特別演出シーンの表示が開始されると、前面枠４に設けられたボタン６０の操作を促す内容の表示（同図（ｃ）参照）がなされ、綱引きの演出表示が開始される。そして、所定時間内（本例では、約２４ｓｅｃ）において、ボタン６０の操作に応じて、綱引きの状況が一進一退するような演出表示（同図（ｄ）〜（ｆ）参照）がなされる。そして、主キャラクタＣ１側が勝つと「勝利！！」（同図（ｇ）参照）と報知して大当たりを示唆する組合わせの装飾図柄Ｓを表示すると共に、勝利に至るまでのクリアタイムと、これまでの上位三つのクリアタイムのランキングとを表示する（同図（ｈ）参照）。その後、有利遊技状態発生手段４３６によって有利遊技状態が発生するようになっている。
【０２２３】
この第二特別演出シーン（以下、単に特別演出シーンとも称す）を表示するための具体的な処理内容を図３０〜図３３に基づいて詳細に説明する。周辺基板３１１のコマンド受信手段４１１によって、特別演出シーンの表示を指示するコマンドが受信されると、演出表示制御手段４１３の演出シーン制御手段４１７により、演出表示装置１１５に第二特別演出シーンの開始を案内する表示をさせると共に、特別演出シーンの表示を開始させる。そして、複数の副キャラクタと主キャラクタＣ１とが綱引きを開始するような演出表示がなされる。このとき、当初、演出表示装置１１５の表示領域の左右上側の隅に表示され、リーチ状態であることを示していた停止装飾図柄ＴＳの図柄が主キャラクタＣ１の顔図柄ＫＳに変更されると共に、やや拡大して表示される。また、表示領域の左上には、計測時間を表示するための時間表示領域ＡＴが設けられている。なお、綱引きの開始前は、「００．００」が表示されている。
【０２２４】
続いて、図３３に示すように、ステップＳ８０１において、案内表示処理として、案内手段４４５によって演出表示装置１１５に、遊技者に対してボタン６０の操作を促す案内を表示させる（図２４（ａ）参照）。その後、演出表示装置１１５では、キャラクタの動作により「綱引き」が開始されると共に、ステップＳ８０２において、時間計測手段４４６により時間の計測が開始される。この際に、表示領域では、主キャラクタＣ１側がメインとなるように表示されると共に、主キャラクタＣ１がより右側へ移動すると優勢となるような表示とされている。
【０２２５】
ところで、本例の特別演出シーンでは、「綱引き」の勝敗の表示を制御するものとして、所定のパラメータＰＨが設定されており、このパラメータＰＨの値によって、「綱引き」の進行状況が表示されるようになっている。具体的には、例えば以下の表５で表されるテーブルによって８通りの表示状況が表示される。なお、「綱引き」の開始当初は、パラメータＰＨが「６」に設定されており、表示領域上では、綱の最後尾のキャラクタ（風船）ＣＦと、その前（画面上左側から）の五番目の主キャラクタＣ１との間の位置から始まるようになっている。
【０２２６】
【表５】
2006116022.tif 000007
【０２２７】
そして、時間計測の開始と略同時に、続くステップＳ８０３では、ボタン６０の操作状況を判断する操作状況判断処理が行われる。つまり、操作検出手段４４１によるボタン６０の操作の検出結果に基づいて、操作状況判断手段４４２が操作状況を判断する。具体的には、例えば以下の表６で表されるテーブルによって、ボタン６０の単位時間当たりの操作回数Ａに基づいて、操作状況がパラメータＰＳとして３通りに判断される。つまり、単位時間当りでの操作回数が０の時は操作していないと判断しパラメータＰＳの値を「０」に、単位時間当りでの操作回数が１回以上の時は操作していると判断し、その操作回数が１であればパラメータＰＳの値を「１」に、操作回数が２回以上であればパラメータＰＳの値を「０」としている。なお、本例では、単位時間としては、３２０ｍｓ当りのボタン６０の操作回数Ａとしている。
【０２２８】
【表６】
2006116022.tif 000008
【０２２９】
続いて、ステップＳ８０４では、ステップＳ８０３での判断結果を基に演出内容選択表示処理が行われる。つまり、操作状況判断手段４４２の判断結果に基づいて、演出内容選択手段４４３により特別演出シーンに反映させる演出内容を選択して表示する。具体的には、遊技者側が優勢となるように主キャラクタＣ１を一つ右側に移動させる表示内容、遊技者側が劣勢となるように主キャラクタＣ１を一つ右側に移動させる表示内容、或いは、主キャラクタＣ１を移動させずにこう着状態を示すような表示内容、の何れかの表示内容を選択する。この時、優勢となる表示内容が選択されるとパラメータＰＨに「−１」が付与され、劣勢となる表示内容が選択されるとパラメータＰＨに「＋１」が付与され、こう着状態となる表示内容が選択されるとパラメータＰＨに「０」が夫々付与される。これにより、主キャラクタＣ１が前進したり後退したりする演出表示が行われる。
【０２３０】
この例では、主キャラクタＣ１が勝ち抜ける確率は、主キャラクタの表示位置と、ボタン６０の操作状況によって種々な確率が設定されている。詳述すると、主キャラクタＣ１の表示位置と関係するパラメータＰＨの値と、ボタン６０の操作状況と関係するパラメータＰＳの値とに基づいてその確率が設定されている。具体的には、例えば表７で表されるテーブルに示すような設定とされてる。なお、ボタン６０が操作されていないと判断した場合、つまり、パラメータＰＳの値が「０」の時は、勝ち進むことはない。
【０２３１】
【表７】
2006116022.tif 000009
【０２３２】
この演出内容選択表示処理は、例えば以下の表８で表されるテーブルによって、パラメータＰＨに付与される値を選択している。詳述すると、この例では、パラメータＰＨに付与する値は、ステップＳ８０３における判断結果すなわちパラメータＰＳと、主基板３１０からの当否コマンドと、付与前のパラメータＰＨとに基づいて、付与される値の確率が異なる（変化する）ようになっている。これにより表示されている「綱引き」の状況に応じた演出内容が選択されるようになっている。
【０２３３】
【表８】
2006116022.tif 000010
【０２３４】
そして、ステップＳ８０４では、選択された「付与される値」をパラメータＰＨに付与すると共に、付与されたパラメータＰＨの値を基に、特別演出シーンの表示状況を変化させる。具体的には、例えば、付与前のパラメータＰＨが「６」で、選択された付与される値が「０」の場合、付与後のパラメータＰＨは「６」と変らず、図３０（ｂ）に示すような表示状況のままで表示される。なお、表示領域の右上にはパラメータ表示領域ＡＰが設けられており、このパラメータ表示領域ＡＰには、上記の表６に示した「表示されるパラメータＰＨの値」が表示され、ここでは、「５」（あと５）が表示される。一方、選択された付与される値が「−１」の場合、付与後のパラメータＰＨが「５」となり、図示は省略するが、前から五番目の主キャラクタＣ１が略中央に表示されるように変更されると共に、パラメータ表示領域ＡＰでは、「あと４」と表示される。なお、表示領域の左下には、案内手段４４５によって、ボタン６０の操作を促す内容の表示がなされており、これにより、ボタン６０の操作を続けさせるように案内している。
【０２３５】
続いて、ステップＳ８０５では、特別演出シーンにおける表示内容が所定の条件を満たしているか否かが判定される。具体的には、パラメータＰＨの値が「０」又は「７」であるか否かを判断し、パラメータＰＨの値がそれ以外、すなわち、「綱引き」の表示において、勝敗の決着が付いていない場合は、所定条件を満たしていないと判定して、ステップＳ８０６へと進む。このステップＳ８０６では、計測開始からの時間が所定時間経過したか否かを判定し、所定時間経過していなければ、ステップＳ８０３へと進み再び操作状況判断処理を行い、続くステップＳ８０４で演出内容選択表示処理を行い、所定時間経過するか、ステップＳ８０５において、所定の条件を満たすまで、ステップＳ８０３〜ステップＳ８０６を繰り返すようになっている。なお、ステップＳ８０６で、所定時間経過した場合は、ステップＳ８０９へと進む。また、本例では、ステップＳ８０６の所定時間が約２５０００ｍｓとされている。
【０２３６】
上記のように、ステップＳ８０３〜ステップＳ８０６を繰り返すことで、例えば、演出内容選択手段４４３でその都度「−１」と選択されると、演出表示装置１１５では、その都度主キャラクタＣ１が一人ずつ右側に移動すると共に、パラメータ表示領域ＡＰに表示される値が一つずつ減って行くこととなる。ところで、本例では、表８に示すように、付与前のパラメータＰＨが２〜６の範囲では、優勢な演出内容が選択される確率が高く、付与前のパラメータＰＨが１では、その確率が低くなるように設定されているので、開始当初は、「綱引き」が勝利する方向へ順調に進むが、あと少しで勝利する段階になると、なかなか進まなくなり、主キャラクタＣ１が一進一退を繰返し、より多くのボタン６０の操作を促すと共に、緊迫した感じの演出とさせ、より興趣を高める演出を表示することが可能となっている。そして、所定時間内にパラメータＰＨが「０」又は「７」となると、「綱引き」の勝敗が決着したと判断して、ステップＳ８０５からステップＳ８０７へと進む。なお、表８に示すように、当否コマンドが「ハズレ」コマンドの時は、パラメータＰＨの値が「０」とはならないようになっており、ボタン６０の操作をいくら操作しても、パラメータＰＨの値が「１」より、つまり、前から一番目と二番目の主キャラクタＣ１の間よりは前へは勝ち進めず、一進一退を繰返すようになっている。なお、本例では、「綱引き」の表示中は、左右の顔図柄ＫＳの顔が、その間に表示される主キャラクタＣ１の顔の表情と同じ表情になるように変化させられており、より興趣が高められる演出表示としている。なお、上記の表示内容は、予め複数のカットが用意されており、ボタン６０の操作状況に応じて所定のカットが選択されて一身一退の表示がなされる。詳述すると、優勢となるような後退するカット、状況が変化しないカット、劣勢となるような前進するカット、等が用意されており、ボタン６０操作に応じてカットが選択される。また、ボタン６０の操作回数が多いほど、主キャラクタＣ１の顔の表情が異なるようになっており、例えば操作回数が多いほど、図３０（ｃ）に示すような歯を食い縛るような表情が表示されるようになっており、そのような内容のカットが選択されて表示される。
【０２３７】
ステップＳ８０７では、時間計測手段４４６による時間の計測を停止させ、続いてステップＳ８０８において、計測時間抽出手段４４７によって過去に計測されて記憶手段としてのＲＡＭ３７４に記憶されている計測時間の中から、上位三つの計測時間を抽出して、ステップＳ８０９へと進む。なお、ＲＡＭ３７４の記憶容量を節約するために、上位３つのみ記憶するようにしても良い。
【０２３８】
続くステップＳ８０９では、終局カット表示処理が行われる。詳述すると、当否コマンドが「当り」のコマンドで、所定時間内にパラメータＰＨの値が「０」となった場合、つまり、ボタン６０の操作により勝ち進んで勝った場合は、勝利を示唆する終局カットが表示される。具体的には、終局カット表示手段４４８によって、図３０（ｄ）に示すように、演出表示装置１１５に、左右の顔図柄ＫＳと並んだ主キャラクタＣ１の前側に遊技者側が勝ったことを示唆する表示（例えば、「勝利！！」）を行った後、図３０（ｅ）に示すように、確定画面として、左右の顔図柄ＫＳと主キャラクタＣ１とが、当りを示唆する三つの同じ装飾図柄Ｓ（ここでは、「７」，「７」，「７」）に変更して表示され、その前側に、時間計測手段４４６で計測された計測時間（ＣＬＥＡＲ  ＴＩＭＥ）を大きく表示すると共に、計測時間抽出手段４４７で抽出された上位１〜３位の計測時間を表示する終局カットを表示して、特別演出シーンの表示処理が終了する。
【０２３９】
また、このステップＳ８０９では、当否コマンドが「当り」のコマンドで、所定時間内にパラメータＰＨの値が「７」となった場合、つまり、ボタン６０を操作したにも関わらず、風船ＣＦまで表示されて負ける寸前まで行った場合、最後尾の風船ＣＦから一気に一番目の主キャラクタＣ１を表示させて「逆転勝ち」したような表示をした後に、上述と同様に勝ったことを示唆する表示（図２４（ｄ）参照）をし、続いて、同図（ｅ）に示すような、当りを示唆する三つの装飾図柄Ｓと、計測時間及びランキングとを示すような終局カットの表示もする。これにより、負けそうな雰囲気を出しながら、最後に逆転勝利したような表示内容とされるので、遊技者に対してハラハラした感じを与えることが期待でき、抑揚に富んだものとすることができる。
【０２４０】
更に、ステップＳ８０９では、当否コマンドが「当り」のコマンドで、所定時間内に決着が付かなかった場合、当否の確定画面として、図示は省略するが、左右の顔図柄ＫＳと主キャラクタＣ１とが、当りを示唆する三つの同じ装飾図柄Ｓに変更して表示する終局カットが表示される。なお、ここでは、クリアタイムのランキング表示はなされないが、ランキング表示を行うようにしても良い。
【０２４１】
また、ステップＳ８０９では、当否コマンドが「ハズレ」のコマンドである場合、表８に示すように、ボタン６０を操作しても所定時間内で負けてしまったり（パラメータＰＳの値が「７」）、所定時間が経過してしまったりすると、図３１（ａ）に示すように、左右の顔図柄ＫＳの間に綱の最後尾に位置する風船ＣＦが表示され、遊技者側が負けたことを示唆する表示（例えば、「残念」）をした後に、図３１（ｂ）に示すように、確定画面として、左右の顔図柄ＫＳがリーチ状態を示す装飾図柄Ｓ（ここでは、「３」）に変更されると共に、風船ＣＦの前に左右の装飾図柄Ｓとは異なる数字の装飾図柄Ｓ（ここでは、「４」）が表示されハズレ（ハズレリーチ）を示唆する終局カットを表示して特別演出シーンの表示処理が終了する。なお、この場合、表８から判るように、ボタン６０を操作し続ける限りは、主キャラクタＣ１側が優勢な状態で表示され易くなっているので、負けてしまっても、遊技者に対して後少しで勝利したかも知れないと思わせることができ、興趣が低下するのを抑制することができる。
【０２４２】
なお、本例では、所定時間内において、ボタン６０が操作されなかったり、操作を中止したり、或いは、操作されていないと判断された時、つまり、パラメータＰＳの値が「０」となった時は、表８に示すように、所定時間内であれば、パラメータＰＨの値が「６」に変更され、負けそうな表示となる。そして、所定時間が経過した場合は、ステップＳ８０９において、確定画面として、負けを示唆する終局カットが表示される。なお、当否コマンドが「当り」の場合は、負けを示唆する表示がなされた後で、風船ＣＦが爆発して当りを示唆する装飾図柄Ｓを表示するような終局カットが表示されるようになっている。
【０２４３】
ところで、表８の下欄に示すように、当否コマンドとして、「プレミア当り」のコマンドである場合、所定時間内では、ステップＳ８０３〜ステップＳ８０６によって、ボタン６０の操作に応じて「綱引き」が一進一退するような表示がなされ、負けることはあっても勝つことはない表示がなされ、所定時間内で負けてしまうと、ステップＳ８０９では、図３１（ａ）に示すような、左右の顔図柄ＫＳの間に綱の最後尾に位置する風船を位置させると共に、遊技者側が負けたことを示唆する表示（例えば、「残念」）をした後に、図３２（ａ）に示すように、左右の顔図柄ＫＳを下方へ移動させると共に、風船ＣＦを上方へ移動させる。そして、図３２（ｂ）に示すように、風船ＣＦが爆発して、風船ＣＦの中から三つの同じ顔図柄ＫＳが左右方向に並んで表示される（図３２（ｃ）参照）。その後、確定画面として、図３０（ｅ）に示すような、三つの顔図柄ＫＳが、当りを示唆する三つの同じ装飾図柄Ｓに変更されて表示され、その前側に、時間計測手段４４６で計測された計測時間（ＣＬＥＡＲ  ＴＩＭＥ）を大きく表示すると共に、計測時間抽出手段４４７で抽出された上位１〜３位の計測時間を表示する終局カットを表示して、特別演出シーンの表示処理が終了する。これにより、一旦負けたと思わせた後に、当りを示唆するようにしているので、落胆した後に喜びを与えることが可能となり、抑揚に富んだものとすることができる。
【０２４４】
このように、本実施形態のパチンコ機１では、第一演出シーンや第二演出シーンのどこからでも、最も期待度の高い特別演出シーンに変更されると共に、変更された特別演出シーンでは、遊技者がボタン６０を操作することで、特別演出シーンに参加することができる。これにより、例えば、期待度の低い演出シーンが始まっても、特別演出シーンに変更される可能性があるので、如何なる演出シーンが表示開始されても、期待感を持たすことができ、遊技に対する興趣を高めることができると共に、飽き難いものとすることができる。
【０２４５】
また、本例のパチンコ機１では、第一演出シーンにおいて、変動表示されている図柄列が、図柄列消去手段４２０により消去されると、特別演出シーンに変更するので、少なくとも一つの図柄列を消去することで、遊技者に注目させた上で、図柄列の消去後に特別演出シーンに変更されるか否かと言う期待感を膨らませることができ、興趣を高めることができる。また、キャラクタ制御手段４１５により、消去された図柄列の位置に、複数のキャラクタを歩いたり走ったり等する動作をさせながら、表示領域内を移動表示させるので、キャラクタの登場により面白味を持たせた上で、そのキャラクタの中で、主キャラクタＣ１のみが移動を停止するか否かと言う関心が高められ、より興趣に富んだ演出をすることができる。更に、特別演出シーンに変更する前に、図柄列再表示手段４２１により、消去された図柄列を再度表示させてリーチ状態で停止表示させるので、図柄列がリーチ状態以外の状態で特別演出シーンに変更される場合と比較して、特別演出シーンにおいて有利遊技状態となる可能性が更に高いような演出効果を得ることができ、より期待感を持たせることが可能な演出となる。
【０２４６】
更に、本例のパチンコ機１では、第一演出シーンの発展である第二演出シーンにおいても、演出シーン変更手段４１８により、その途中で特別演出シーンに変更するので、第二演出シーンの表示が開始されることで、期待感が高められた上で、特別演出シーンに変更することで、その期待感を確信に変化させることが可能となり、大幅に演出効果の高いものとすることができる。
【０２４７】
また、本例のパチンコ機１によれば、特別演出シーンにおいて、遊技者がボタン６０を操作することで、その操作に応じて、主キャラクタＣ１の動きが制御され、遊技者が特別演出シーンの内容（「綱引き」）に参加することができ、遊技者にとってより一体感のある演出とすることができると共に、より興趣を高めて面白味のあるものとすることができ、これまでとは違った楽しさを提供するができる。また、遊技者が参加して勝つと有利遊技状態が発生するので、遊技者自身が当りを勝ち取ったような演出としており、興趣を高めることができる。或いは、勝てずにハズレとなった場合でも、遊技者自身にあと少しで当りだったかも知れないと思わせる演出としているので、ハズレの場合でも興趣を低下させるのを抑制することができる。
【０２４８】
また、特別演出シーンの表示内容として、「綱引き」を行うものとしているので、優勢な内容として遊技者側が勝つ方向へ、劣勢な内容として遊技者側が負ける方向へ綱と主キャラクタＣ１とを移動させるような表示をすることができ、より面白味のある演出表示とすることができる。なお、演出内容選択手段による演出内容の選択を複数回行っているので、その都度、選択結果に応じた内容を表示することで、遊技者が優勢な方向へ勝ち進んだり、勝負が一進一退するような、ゲーム性に富んだ内容の演出表示が可能となり、より興趣を高めることができる。
【０２４９】
更に、時間計測手段４４６によりクリヤタイムを計測させ、その計測時間を表示させているので、特別演出シーンの表示内容を、所定時間内での勝敗を競うようなものとすることができると共に、勝つまでの時間の速さ競うようなものとすることができ、よりゲーム性に富んだ表示内容とすることが可能となり、遊技者にとってより一体感のあるものとすることができる。
【０２５０】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
【０２５１】
すなわち、上記実施形態では、第一演出シーン及び第二演出シーンの途中で、演出シーン変更手段４１８により特別演出シーンに変更するものを示したが、これに限定するものではなく、第三演出シーンの途中で変更するようにしても良く、或いは、第一演出シーンの前で、いきなり特別演出シーンが表示開始されるようにしても良い。これらによっても、興趣に富んだ演出とすることができる。
【０２５２】
また、上記実施形態では、演出シーン変更手段４１３により特別演出シーンに変更するものを示したが、これに限定するものではなく、第一演出シーンの途中で、第二演出シーン又は第三演出シーンに変更するようにしても良い。但し、上記実施形態のように、大当たりの期待度が最も高い特別演出シーンに変更するようにすれば、変更後の期待感を特に高めることが可能となる。
【０２５３】
また、上記実施形態では、演出シーン変更手段４１８として、演出シーン制御手段４１７において、変更の契機となる所定の演出表示の制御が行われると、特別演出シーンに変更するものを示したが、これに限定するものではなく、カットコマンド検出手段を設けておき、このカットコマンド検出手段によって、演出シーンの制御情報コマンドに変更の契機となるカットコマンドが含まれているか否かを検出して、特別演出シーンに変更するようにしても良い。これによっても、上記と同様の作用効果を奏することができる。
【０２５４】
また、上記実施形態では、操作検出手段４４１、及び操作状況判断手段４４２を電飾制御基板３３８に備えたものを示したが、これら手段を主基板３１０に備えて、主基板３１０において、操作手段としてのボタン６０の操作を検出するようにしても良い。この場合、例えば、操作状況判断手段の判断結果に基づいて、当否コマンドを、「ハズレ」コマンドから「当り」コマンドに変更、或いは、確変・非確変コマンドを、「非確変コマンド」から「確変コマンド」に変更するようにしても良く、実際に遊技者自身が、当りを獲得することが可能となり、操作手段の操作をより促すことができると共に、より興趣を高めることのできるものとすることができる。
【０２５５】
また、上記実施形態では、演出表示装置１１５に、単にクリアタイムを表示するものを示したが、クリアタイムの時間によって、例えば、所定数の遊技媒体を付与する等、遊技者に有利な特典を付与するようにしても良く、より興趣を高めるができる。
【０２５６】
更に、上記実施形態では、特別演出シーンとして、「綱引き」をするものを示したが、「相撲、ボクシング、空手、プロレス等の所謂、格闘もの」、「銃等の火器を使って対象物を攻撃する、所謂、シューティングもの」、等としても良く、これらによっても、ゲーム性の高い演出表示をすることが可能であり、面白味のある演出をすることができる。
【０２５７】
また、上記実施形態では、演出表示における変動パターンの設定を、主制御基板１３１、サブ統合基板１１１、及び電飾制御基板３３８において分担するもの、例えば、主制御基板１３１では変動パターンの種類を決定し、サブ統合基板１１１では最終停止図柄を決定するとともに変動パターンを付加し、さらに電飾制御基板３３８では、詳細演出を決定するものを示したが、何れか一つの基板において全ての演出処理を行うようにしてもよい。但し、上記実施形態のように選出処理を分担するようにすれば、各基板における処理の負担を軽減するとともに、変動パターンを一層複雑化することができる。
【０２５８】
更に、上記実施形態では、遊技機としてパチンコ機１を示したが、パチンコ機以外の遊技機、例えば、スロットマシーンや、パチンコ機とスロットマシーンとを融合させてなる遊技機等であっても本発明を適用することができる。
【図面の簡単な説明】
【０２５９】
【図１】パチンコ機の外枠の一側に本体枠が開かれその本体枠の一側に前面枠が開かれた状態を示す斜視図である。
【図２】パチンコ機の前側全体を示す正面図である。
【図３】遊技領域の構成を示す拡大正面図である。
【図４】パチンコ機の本体枠と遊技盤とを分離して斜め右上前方から示す斜視図である。
【図５】パチンコ機の後側全体を示す背面図である。
【図６】パチンコ機の後側全体を右上後方から示す斜視図である。
【図７】図６に示すパチンコ機の斜視図から後ろカバー及び各種制御基板等を取り外した状態を示す斜視図である。
【図８】パチンコ機の本体枠に各種部材が組み付けられた状態を斜め右上後方から示す斜視図である。
【図９】本体枠単体を斜め右上後方から示す斜視図である。
【図１０】パチンコ機の上部側における内部構成を示す横断面図である。
【図１１】各種の制御基板ボックスが装着された遊技盤を右下後方から示す斜視図である。
【図１２】制御構成を概略的に示すブロック図である。
【図１３】始動入賞処理のルーチンを示すフローチャートである。
【図１４】始動入賞に伴う遊技作動処理のルーチンを示すフローチャートである。
【図１５】特図変動設定処理に含まれる特図変動設定処理Ａの内容を示すフローチャートである。
【図１６】特図変動設定処理Ｂの内容を示すフローチャートである。
【図１７】大当り処理の内容を示すフローチャートである。
【図１８】サブ統合基板における制御処理の内容を示すフローチャートである。
【図１９】電飾制御基板における制御処理の内容を示すフローチャートである。
【図２０】演出表示制御における機能的な構成を示すブロック図である。
【図２１】第一演出シーンの具体的な演出表示例を示す表示画面の一例である。
【図２２】第一演出シーンにおける特別演出シーンに変更する前の表示画面の一例である。
【図２３】図２３とは異なる第一演出シーンにおける特別演出シーンに変更する前の表示画面の一例である。
【図２４】更に異なる第一演出シーンにおける特別演出シーンに変更する前の表示画面の一例である。
【図２５】第二演出シーンの具体的な演出表示例、及び第二演出シーンにおける特別演出シーンに変更する前の表示画面の一例である。
【図２６】図２５とは異なる第二演出シーンにおける特別演出シーンに変更する前の表示画面の一例である。
【図２７】更に異なる第二演出シーンにおける特別演出シーンに変更する前の表示画面の一例である。
【図２８】更に異なる第二演出シーンにおける特別演出シーンに変更する前の表示画面の一例である。
【図２９】特別演出シーンにおける第一特別演出シーンの演出例を示す表示画面の一例である。
【図３０】特別演出シーンにおける第二特別演出シーンの演出例を示す表示画面の一例である。
【図３１】図３０とは異なる第二特別演出シーンにおける終局カットの演出例を示す表示画面の一例である。
【図３２】更に異なる終局カットの演出例を示す表示画面の一例である。
【図３３】特別演出シーン処理の内容を示すフローチャートである。
【符号の説明】
【０２６０】
１  パチンコ遊技機（遊技機）
６０  ボタン（操作手段）
９２  キャラクタ体
１１５  演出表示装置（表示手段）
３１８  始動口センサ（遊技状態検出手段）
３１０  主基板
３１１  周辺基板
４１３  演出表示制御手段
４１４  図柄制御手段
４１５  キャラクタ制御手段
４１６  背景制御手段
４１７  演出シーン制御手段
４１８  演出シーン変更手段
４１９  第一演出シーン制御手段
４２０  図柄列消去手段
４２１  図柄列再表示手段
４２２  第二演出シーン制御手段
４２３  冒頭部制御手段
４２４  第三演出シーン制御手段
４２５  特別演出シーン制御手段
４３４  乱数発生手段（抽選手段）
４３５  特別図柄変動制御手段
４３６  有利遊技状態発生手段
４４１  操作検出手段
４４２  操作状況判断手段
４４３  演出内容選択手段
４４４  繰返し手段
４４５  案内手段
４４６  時間計測手段
４４７  計測時間抽出手段
４４８  終局カット表示手段
【図１】
2006116022.tif 000011
【図２】
2006116022.tif 000012
【図３】
2006116022.tif 000013
【図４】
2006116022.tif 000014
【図５】
2006116022.tif 000015
【図６】
2006116022.tif 000016
【図７】
2006116022.tif 000017
【図８】
2006116022.tif 000018
【図９】
2006116022.tif 000019
【図１０】
2006116022.tif 000020
【図１１】
2006116022.tif 000021
【図１２】
2006116022.tif 000022
【図１３】
2006116022.tif 000023
【図１４】
2006116022.tif 000024
【図１５】
2006116022.tif 000025
【図１６】
2006116022.tif 000026
【図１７】
2006116022.tif 000027
【図１８】
2006116022.tif 000028
【図１９】
2006116022.tif 000029
【図２０】
2006116022.tif 000030
【図２１】
2006116022.tif 000031
【図２２】
2006116022.tif 000032
【図２３】
2006116022.tif 000033
【図２４】
2006116022.tif 000034
【図２５】
2006116022.tif 000035
【図２６】
2006116022.tif 000036
【図２７】
2006116022.tif 000037
【図２８】
2006116022.tif 000038
【図２９】
2006116022.tif 000039
【図３０】
2006116022.tif 000040
【図３１】
2006116022.tif 000041
【図３２】
2006116022.tif 000042
【図３３】
2006116022.tif 000043